(57)【要約】【課題】湿度調節装置と温度調節装置を備える空調システムにおいて、温度調節装置の運転効率を向上させる。【解決手段】湿度調節装置（50a,50b）と温度調節装置（20a,20b）と制御装置（90）とを備え、両装置（50a,50b,20a,20b）において処理された空気を同一の室内（1a,1b）に供給する空調システムを前提とする。起動後所定の間、温度調節装置（20a,20b）において冷房運転が実行されるときには、湿度調節装置（50a,50b）において冷媒回路（60a,60b）の蒸発器を用いて空気を冷却して室内（1a,1b）に供給する第１温調運転を実行する一方、温度調節装置（20a,20b）において暖房運転が実行されるときには、湿度調節装置（50a,50b）において冷媒回路（60a,60b）の凝縮器を用いて空気を加熱して室内（1a,1b）に供給する第２温調運転を実行するように制御装置（90）を構成した。【選択図】図１
2011017515.tif 000002
【特許請求の範囲】
【請求項１】
空気が流通する空気通路と、該空気通路に設けられて吸着剤が担持された吸着素子（81a,81b,82a,82b）と、上記空気通路に設けられて上記吸着素子（81a,81b,82a,82b）の吸着剤に空気中の水分が吸着されて生じた吸着熱を処理するための冷熱を供給する冷却手段と、上記空気通路に設けられて上記吸着素子（81a,81b,82a,82b）の吸着剤に吸着された水分を脱離させるための温熱を供給する加熱手段とを備え、上記吸着素子（81a,81b,82a,82b）の吸着剤によって除湿又は加湿された空気を室内（1a,1b）に供給する湿度調節装置（50a,50b）と、
室内（1a,1b）に冷却空気を供給する冷房運転と、室内（1a,1b）に加熱空気を供給する暖房運転とが実行可能に構成された温度調節装置（20a,20b）と、
上記湿度調節装置（50a,50b）と上記温度調節装置（20a,20b）の運転を制御する制御装置（90）とを備え、
上記湿度調節装置（50a,50b）と上記温度調節装置（20a,20b）とにおいて処理された空気を同一の室内（1a,1b）に供給する空調システムであって、
上記制御装置（90）は、
上記空調システムの起動後所定の間、上記温度調節装置（20a,20b）において上記冷房運転が実行されるときには、上記湿度調節装置（50a,50b）において上記冷却手段を用いて空気を冷却して室内（1a,1b）に供給する第１温調運転を実行する一方、
上記空調システムの起動後所定の間、上記温度調節装置（20a,20b）において上記暖房運転が実行されるときには、上記湿度調節装置（50a,50b）において上記加熱手段を用いて空気を加熱して室内（1a,1b）に供給する第２温調運転を実行するように構成されている
ことを特徴とする空調システム。
【請求項２】
請求項１において、
上記湿度調節装置（50a,50b）は、冷媒が循環して冷凍サイクルを行う冷媒回路（60a,60b）を備え、
上記冷却手段は上記冷媒回路（60a,60b）の蒸発器によって構成される一方、上記加熱手段は上記冷媒回路（60a,60b）の凝縮器によって構成され、
上記湿度調節装置（50a,50b）は、室外から室内（1a,1b）へ流れる空気が上記冷媒回路（60a,60b）の蒸発器を通過し、室内（1a,1b）から室外へ流れる空気が上記冷媒回路（60a,60b）の凝縮器を通過する第１の状態と、室外から室内（1a,1b）へ流れる空気が上記冷媒回路（60a,60b）の凝縮器を通過し、室内（1a,1b）から室外へ流れる空気が上記冷媒回路（60a,60b）の蒸発器を通過する第２の状態とに上記空気通路が切換可能に構成され、
上記制御装置（90）は、上記第１温調運転実行の際に上記湿度調節装置（50a,50b）の空気通路を上記第１の状態に切り換える一方、上記第２温調運転実行の際に上記湿度調節装置（50a,50b）の空気通路を上記第２の状態に切り換えるように構成されている
ことを特徴とする空調システム。
【請求項３】
請求項２において、
上記吸着素子（81a,81b,82a,82b）として、吸着剤を担持すると共に上記冷媒回路（60a,60b）に接続された第１熱交換器（81a,81b）及び第２熱交換器（82a,82b）を備え、
上記冷媒回路（60a,60b）は、上記第１熱交換器（81a,81b）が蒸発器になって上記第２熱交換器（82a,82b）が凝縮器になる状態と上記第１熱交換器（81a,81b）が凝縮器になって上記第２熱交換器（82a,82b）が蒸発器になる状態とに切り換え可能に構成され、
上記湿度調節装置（50a,50b）は、室外から室内（1a,1b）へ流れる空気が上記冷媒回路（60a,60b）において蒸発器となっている上記第１熱交換器（81a,81b）を通過し、室内（1a,1b）から室外へ流れる空気が上記冷媒回路（60a,60b）において凝縮器となっている第２熱交換器（82a,82b）を通過する第１の冷熱供給状態と、室外から室内（1a,1b）へ流れる空気が上記冷媒回路（60a,60b）において蒸発器となっている第２熱交換器（82a,82b）を通過し、室内（1a,1b）から室外へ流れる空気が上記冷媒回路（60a,60b）において凝縮器となっている第１熱交換器（81a,81b）を通過する第２の冷熱供給状態とに上記冷媒回路（60a,60b）及び上記空気通路が切換可能に構成され、
上記制御装置（90）は、上記冷媒回路（60a,60b）及び上記空気通路を上記第１の冷熱供給状態及び上記第２の冷熱供給状態のうちの一方の状態に保持することによって上記第１温調運転を実行するように構成されている
ことを特徴とする空調システム。
【請求項４】
請求項２において、
上記吸着素子（81a,81b,82a,82b）として、吸着剤を担持すると共に上記冷媒回路（60a,60b）に接続された第１熱交換器（81a,81b）及び第２熱交換器（82a,82b）を備え、
上記冷媒回路（60a,60b）は、上記第１熱交換器（81a,81b）が蒸発器になって上記第２熱交換器（82a,82b）が凝縮器になる状態と上記第１熱交換器（81a,81b）が凝縮器になって上記第２熱交換器（82a,82b）が蒸発器になる状態とに切り換え可能に構成され、
上記湿度調節装置（50a,50b）は、室外から室内（1a,1b）へ流れる空気が上記冷媒回路（60a,60b）において凝縮器となっている第１熱交換器（81a,81b）を通過し、室内（1a,1b）から室外へ流れる空気が上記冷媒回路（60a,60b）において蒸発器となっている第２熱交換器（82a,82b）を通過する第１の温熱供給状態と、室外から室内（1a,1b）へ流れる空気が上記冷媒回路（60a,60b）において凝縮器となっている第２熱交換器（82a,82b）を通過し、室内（1a,1b）から室外へ流れる空気が上記冷媒回路（60a,60b）において蒸発器となっている第１熱交換器（81a,81b）を通過する第２の温熱供給状態とに上記冷媒回路（60a,60b）及び上記空気通路が切換可能に構成され、
上記制御装置（90）は、上記冷媒回路（60a,60b）及び上記空気通路を上記第１の温熱供給状態及び上記第２の温熱供給状態のうちの一方の状態に保持することによって上記第２温調運転を実行するように構成されている
ことを特徴とする空調システム。
【請求項５】
請求項３において、
上記制御装置（90）は、上記第１温調運転の終了後に、上記湿度調節装置（50a,50b）において上記冷媒回路（60a,60b）及び上記空気通路を上記第１の冷熱供給状態と上記第２の冷熱供給状態とに所定間隔で交互に切り換えて除湿された空気を室内（1a,1b）に供給する除湿運転を実行する冷房除湿運転モードが可能に構成されている
ことを特徴とする空調システム。
【請求項６】
請求項４において、
上記制御装置（90）は、上記第２温調運転の終了後に、上記湿度調節装置（50a,50b）において上記冷媒回路（60a,60b）及び上記空気通路を上記第１の温熱供給状態と上記第２の温熱供給状態とに所定間隔で交互に切り換えて加湿された空気を室内（1a,1b）に供給する加湿運転を実行する暖房加湿運転モードが可能に構成されている
ことを特徴とする空調システム。
【請求項７】
請求項４において、
上記制御装置（90）は、上記第１温調運転の終了後に、上記湿度調節装置（50a,50b）において上記冷媒回路（60a,60b）及び上記空気通路を上記第１の温熱供給状態と上記第２の温熱供給状態とに所定間隔で交互に切り換えて加湿された空気を室内（1a,1b）に供給する加湿運転を実行する冷房加湿運転モードが可能に構成されている
ことを特徴とする空調システム。
【発明の詳細な説明】
【技術分野】
【０００１】
本発明は、空気の湿度を調節する湿度調節装置と空気の温度を調節する温度調節装置とを備えた空調システムに関するものである。
【背景技術】
【０００２】
従来より、空気の湿度を調節する湿度調節装置と空気の温度を調節する温度調節装置とを備えた空調システムが知られている。例えば、特許文献１には、デシカントロータを用いて空気の湿度を調節する湿度調節装置と、冷凍サイクルを行う冷媒回路が設けられた温度調節装置とを備える空調システムが開示されている。また、特許文献２や特許文献３には、空気熱交換器の表面に担持された吸着剤を冷媒で加熱し又は冷却することによって空気の湿度を調節する湿度調節装置と、冷凍サイクルを行う冷媒回路が設けられた温度調節装置とを備える空調システムが開示されている。この種の空調システムでは、主に湿度調節装置が室内の潜熱負荷を処理し、主に温度調節装置が室内の顕熱負荷を処理する。
【先行技術文献】
【特許文献】
【０００３】
【特許文献１】特開平０９−３１８１２６号公報
【特許文献２】特開２００５−２９１５８５号公報
【特許文献３】特開２００６−３２９４７２号公報
【発明の概要】
【発明が解決しようとする課題】
【０００４】
ところで、上記特許文献３では、外気が所定の温度範囲の際に、湿度調節装置を温度調節装置に先んじて始動させ、顕熱負荷の処理よりも潜熱負荷の処理を優先して行うようにしている。
【０００５】
しかしながら、在室者にとって室内空気の湿度変化よりも温度変化の方が体感し易いという傾向がある。そのため、湿度調節装置を温度調節装置に先んじて始動させることとすると、室内温度が目標温度に達するまでに時間がかかり、在室者が快適感を得るまでに時間がかかるという問題があった。
【０００６】
本発明は、かかる点に鑑みてなされたものであり、その目的は、湿度調節装置と温度調節装置を備える空調システムにおいて、在室者の快適性を早急に向上させることにある。
【課題を解決するための手段】
【０００７】
第１の発明は、空気が流通する空気通路と、該空気通路に設けられて吸着剤が担持された吸着素子（81a,81b,82a,82b）と、上記空気通路に設けられて上記吸着素子（81a,81b,82a,82b）の吸着剤に空気中の水分が吸着されて生じた吸着熱を処理するための冷熱を供給する冷却手段と、上記空気通路に設けられて上記吸着素子（81a,81b,82a,82b）の吸着剤に吸着された水分を脱離させるための温熱を供給する加熱手段とを備え、上記吸着素子（81a,81b,82a,82b）の吸着剤によって除湿又は加湿された空気を室内（1a,1b）に供給する湿度調節装置（50a,50b）と、室内（1a,1b）に冷却空気を供給する冷房運転と、室内（1a,1b）に加熱空気を供給する暖房運転とが実行可能に構成された温度調節装置（20a,20b）と、上記湿度調節装置（50a,50b）と上記温度調節装置（20a,20b）の運転を制御する制御装置（90）とを備え、上記湿度調節装置（50a,50b）と上記温度調節装置（20a,20b）とにおいて処理された空気を同一の室内（1a,1b）に供給する空調システムであって、上記制御装置（90）は、上記空調システムの起動後所定の間、上記温度調節装置（20a,20b）において上記冷房運転が実行されるときには、上記湿度調節装置（50a,50b）において上記冷却手段を用いて空気を冷却して室内（1a,1b）に供給する第１温調運転を実行する一方、上記空調システムの起動後所定の間、上記温度調節装置（20a,20b）において上記暖房運転が実行されるときには、上記湿度調節装置（50a,50b）において上記加熱手段を用いて空気を加熱して室内（1a,1b）に供給する第２温調運転を実行するように構成されている。
【０００８】
第１の発明では、温度調節装置（20a,20b）において冷房運転が実行されるときには、空調システムを起動させると、所定の間、湿度調節装置（50a,50b）において第１温調運転が実行される。具体的には、湿度調節装置（50a,50b）において、吸着素子（81a,81b,82a,82b）で生じた吸着熱を処理するための冷熱を供給する冷却手段が空気の冷却処理に用いられ、冷却された空気が室内（1a,1b）に供給される。つまり、湿度調節装置（50a,50b）において、顕熱処理（温度調節処理）が潜熱処理（湿度調節処理）に優先して行われる。その結果、室内（1a,1b）には、温度調節装置（20a,20b）によって冷却処理された空気と湿度調節装置（50a,50b）の冷却手段によって冷却処理された空気とが供給されることとなり、室内（1a,1b）の空気が急速に冷却される。
【０００９】
一方、温度調節装置（20a,20b）において暖房運転が実行されるときには、空調システムを起動させると、所定の間、湿度調節装置（50a,50b）において第２温調運転が実行される。具体的には、湿度調節装置（50a,50b）において、吸着剤に吸着された水分を脱離させるための温熱を供給する加熱手段が空気の加熱処理に用いられ、加熱された空気が室内（1a,1b）に供給される。つまり、湿度調節装置（50a,50b）において、顕熱処理が潜熱処理に優先して行われる。その結果、室内（1a,1b）には、温度調節装置（20a,20b）によって加熱処理された空気と湿度調節装置（50a,50b）の加熱手段によって加熱処理された空気とが供給されることとなり、室内（1a,1b）の空気が急速に加熱される。
【００１０】
第２の発明は、第１の発明において、上記湿度調節装置（50a,50b）は、冷媒が循環して冷凍サイクルを行う冷媒回路（60a,60b）を備え、上記冷却手段は上記冷媒回路（60a,60b）の蒸発器によって構成される一方、上記加熱手段は上記冷媒回路（60a,60b）の凝縮器によって構成され、上記湿度調節装置（50a,50b）は、室外から室内（1a,1b）へ流れる空気が上記冷媒回路（60a,60b）の蒸発器を通過し、室内（1a,1b）から室外へ流れる空気が上記冷媒回路（60a,60b）の凝縮器を通過する第１の状態と、室外から室内（1a,1b）へ流れる空気が上記冷媒回路（60a,60b）の凝縮器を通過し、室内（1a,1b）から室外へ流れる空気が上記冷媒回路（60a,60b）の蒸発器を通過する第２の状態とに上記空気通路が切換可能に構成され、上記制御装置（90）は、上記第１温調運転実行の際に上記湿度調節装置（50a,50b）の空気通路を上記第１の状態に切り換える一方、上記第２温調運転実行の際に上記湿度調節装置（50a,50b）の空気通路を上記第２の状態に切り換えるように構成されている。
【００１１】
第２の発明では、第１温調運転実行時には、空気通路が第１の状態に切り換えられる。つまり、室外空気が冷媒回路（60a,60b）の蒸発器を経由して室内（1a,1b）に取り込まれる一方、室内（1a,1b）の空気が冷媒回路（60a,60b）の凝縮器を経由して室外へ排出される。これにより、室外から取り込まれた空気が蒸発器において低温の冷媒と熱交換して冷却されて室内（1a,1b）へ流入する一方、室内（1a,1b）の冷却された空気が凝縮器において高温の冷媒と熱交換して加熱されて室外へ排出される。つまり、排気される室内空気の冷熱を凝縮器において回収することとしている。なお、第１温調運転実行時には、室内（1a,1b）には温度調節装置（20a,20b）及び湿度調節装置（50a,50b）のそれぞれにおいて冷却処理された空気が供給される。そのため、室内（1a,1b）の温度が急速に低下する。よって、冷媒回路（60a,60b）の凝縮器には、起動後早い段階で比較的温度の低い空気が供給され、凝縮器における熱交換量が増大する。そのため、第１温調運転を実行することにより、起動後早い段階で冷凍サイクルの高圧圧力を低下させることができる。
【００１２】
一方、第２温調運転実行時には、空気通路が第２の状態に切り換えられる。つまり、室外空気が冷媒回路（60a,60b）の凝縮器を経由して室内（1a,1b）に取り込まれる一方、室内（1a,1b）の空気が冷媒回路（60a,60b）の蒸発器を経由して室外へ排出される。これにより、室外から取り込まれた空気が凝縮器において高温の冷媒と熱交換して加熱されて室内（1a,1b）へ流入する一方、室内（1a,1b）の加熱された空気が蒸発器において低温の冷媒と熱交換して冷却されて室外へ排出される。つまり、排気される室内空気の温熱を蒸発器において回収することとしている。なお、第２温調運転実行時には、室内（1a,1b）には温度調節装置（20a,20b）及び湿度調節装置（50a,50b）のそれぞれにおいて加熱処理された空気が供給される。そのため、室内（1a,1b）の温度が急速に上昇する。よって、冷媒回路（60a,60b）の蒸発器には、起動後早い段階で比較的温度の高い空気が供給され、蒸発器における熱交換量が増大する。そのため、第２温調運転を実行することにより、起動後早い段階で冷凍サイクルの低圧圧力を上昇させることができる。
【００１３】
第３の発明は、第２の発明において、上記吸着素子（81a,81b,82a,82b）として、吸着剤を担持すると共に上記冷媒回路（60a,60b）に接続された第１熱交換器（81a,81b）及び第２熱交換器（82a,82b）を備え、上記冷媒回路（60a,60b）は、上記第１熱交換器（81a,81b）が蒸発器になって上記第２熱交換器（82a,82b）が凝縮器になる状態と上記第１熱交換器（81a,81b）が凝縮器になって上記第２熱交換器（82a,82b）が蒸発器になる状態とに切り換え可能に構成され、上記湿度調節装置（50a,50b）は、室外から室内（1a,1b）へ流れる空気が上記冷媒回路（60a,60b）において蒸発器となっている上記第１熱交換器（81a,81b）を通過し、室内（1a,1b）から室外へ流れる空気が上記冷媒回路（60a,60b）において凝縮器となっている第２熱交換器（82a,82b）を通過する第１の冷熱供給状態と、室外から室内（1a,1b）へ流れる空気が上記冷媒回路（60a,60b）において蒸発器となっている第２熱交換器（82a,82b）を通過し、室内（1a,1b）から室外へ流れる空気が上記冷媒回路（60a,60b）において凝縮器となっている第１熱交換器（81a,81b）を通過する第２の冷熱供給状態とに上記冷媒回路（60a,60b）及び上記空気通路が切換可能に構成され、上記制御装置（90）は、上記冷媒回路（60a,60b）及び上記空気通路を上記第１の冷熱供給状態及び上記第２の冷熱供給状態のうちの一方の状態に保持することによって上記第１温調運転を実行するように構成されている。
【００１４】
第３の発明では、冷媒回路（60a,60b）及び空気通路を第１の冷熱供給状態とすると、室外から室内（1a,1b）へ向かう空気中の水分が第１熱交換器（81a,81b）に担持された吸着剤に吸着されると共に、その吸着熱が蒸発器となっている第１熱交換器（81a,81b）を流通する低温の冷媒に吸熱される。これにより、室外から室内（1a,1b）へ向かう空気が除湿される。一方、冷媒回路（60a,60b）において凝縮器となっている第２熱交換器（82a,82b）では、吸着剤に吸着した水分が第２熱交換器（82a,82b）を流通する高温の冷媒によって加熱されて空気中に脱離される。これにより、室内（1a,1b）から室外へ向かう空気が加湿される。
【００１５】
また、冷媒回路（60a,60b）及び空気通路を第２の冷熱供給状態とすると、室外から室内（1a,1b）へ向かう空気中の水分が第２熱交換器（82a,82b）に担持された吸着剤に吸着されると共に、その吸着熱が蒸発器となっている第２熱交換器（82a,82b）を流通する低温の冷媒に吸熱される。これにより、室外から室内（1a,1b）へ向かう空気が除湿される。一方、冷媒回路（60a,60b）において凝縮器となっている第１熱交換器（81a,81b）では、吸着剤に吸着した水分が第１熱交換器（81a,81b）を流通する高温の冷媒によって加熱されて空気中に脱離される。これにより、室内（1a,1b）から室外へ向かう空気が加湿される。
【００１６】
よって、冷媒回路（60a,60b）及び空気通路を第１の冷熱供給状態と第２の冷熱供給状態とに所定間隔で交互に切り換えると、第１及び第２熱交換器（81a,81b,82a,82b）では空気の除湿と加湿とが交互に行われ、除湿された空気は室内（1a,1b）へ供給される一方、加湿された空気は室外へ排出される。これにより、室内（1a,1b）の空気が除湿される。
【００１７】
一方、温調運転制御手段によって、第１温調運転が実行されて、冷媒回路（60a,60b）及び空気通路が第１の冷熱供給状態（第２の冷熱供給状態）に保持されると、室外空気が蒸発器となっている第１熱交換器（81a,81b）（第２熱交換器（82a,82b））を経由して室内（1a,1b）へ流れ続ける。そのため、第１温調運転の開始直後は、室外から室内（1a,1b）へ向かう空気中の水分が第１熱交換器（81a,81b）（第２熱交換器（82a,82b））に担持された吸着剤に吸着されると共に、その吸着熱が第１熱交換器（81a,81b）（第２熱交換器（82a,82b））を流通する低温の冷媒に吸熱されることによって空気が除湿されるが、第１熱交換器（81a,81b）（第２熱交換器（82a,82b））の吸着剤において水分が飽和すると、それ以上吸着剤に水分が吸着されなくなり、吸着熱が生じなくなる。そのため、それ以降は、吸着熱の処理に利用されていた低温の冷媒の冷熱が空気の冷却に用いられる。つまり、蒸発器となっている第１熱交換器（81a,81b）を通過する室外からの空気が第１熱交換器（81a,81b）を流通する低温の冷媒によって冷却されて室内（1a,1b）に供給される。
【００１８】
第４の発明は、第２の発明において、上記吸着素子（81a,81b,82a,82b）として、吸着剤を担持すると共に上記冷媒回路（60a,60b）に接続された第１熱交換器（81a,81b）及び第２熱交換器（82a,82b）を備え、上記冷媒回路（60a,60b）は、上記第１熱交換器（81a,81b）が蒸発器になって上記第２熱交換器（82a,82b）が凝縮器になる状態と上記第１熱交換器（81a,81b）が凝縮器になって上記第２熱交換器（82a,82b）が蒸発器になる状態とに切り換え可能に構成され、上記湿度調節装置（50a,50b）は、室外から室内（1a,1b）へ流れる空気が上記冷媒回路（60a,60b）において凝縮器となっている第１熱交換器（81a,81b）を通過し、室内（1a,1b）から室外へ流れる空気が上記冷媒回路（60a,60b）において蒸発器となっている第２熱交換器（82a,82b）を通過する第１の温熱供給状態と、室外から室内（1a,1b）へ流れる空気が上記冷媒回路（60a,60b）において凝縮器となっている第２熱交換器（82a,82b）を通過し、室内（1a,1b）から室外へ流れる空気が上記冷媒回路（60a,60b）において蒸発器となっている第１熱交換器（81a,81b）を通過する第２の温熱供給状態とに上記冷媒回路（60a,60b）及び上記空気通路が切換可能に構成され、上記制御装置（90）は、上記冷媒回路（60a,60b）及び上記空気通路を上記第１の温熱供給状態及び上記第２の温熱供給状態のうちの一方の状態に保持することによって上記第２温調運転を実行するように構成されている。
【００１９】
第４の発明では、冷媒回路（60a,60b）及び空気通路を第１の温熱供給状態とすると、室外から室内（1a,1b）へ向かう空気が通過する第１熱交換器（81a,81b）の吸着剤に吸着された水分が、凝縮器となっている第１熱交換器（81a,81b）を流通する高温の冷媒によって加熱されて空気中に脱離する。これにより、室外から室内（1a,1b）へ向かう空気が加湿される。一方、室内（1a,1b）から室外へ向かう空気中の水分が第２熱交換器（82a,82b）に担持された吸着剤に吸着されると共に、その吸着熱が蒸発器となっている第２熱交換器（82a,82b）を流通する低温の冷媒に吸熱される。これにより、室内（1a,1b）から室外へ向かう空気が除湿される。
【００２０】
また、冷媒回路（60a,60b）及び空気通路を第２の温熱供給状態とすると、室外から室内（1a,1b）へ向かう空気が通過する第２熱交換器（82a,82b）の吸着剤に吸着された水分が、凝縮器となっている第２熱交換器（82a,82b）を流通する高温の冷媒によって加熱されて空気中に脱離する。これにより、室外から室内（1a,1b）へ向かう空気が加湿される。一方、室内（1a,1b）から室外へ向かう空気中の水分が第１熱交換器（81a,81b）に担持された吸着剤に吸着されると共に、その吸着熱が蒸発器となっている第１熱交換器（81a,81b）を流通する低温の冷媒に吸熱される。これにより、室内（1a,1b）から室外へ向かう空気が除湿される。
【００２１】
よって、冷媒回路（60a,60b）及び空気通路を第１の温熱供給状態と第２の温熱供給状態とに所定間隔で交互に切り換えると、第１及び第２熱交換器（82a,82b）では空気の除湿と加湿とが交互に行われ、加湿された空気は室内（1a,1b）へ供給される一方、除湿された空気は室外へ排出される。これにより、室内（1a,1b）の空気が加湿される。
【００２２】
一方、温調運転制御手段によって、第２温調運転が実行されて、冷媒回路（60a,60b）及び空気通路が第１の温熱供給状態（第２の温熱供給状態）に保持されると、室外空気が凝縮器となっている第１熱交換器（81a,81b）（第２熱交換器（82a,82b））を経由して室内（1a,1b）へ流れ続ける。そのため、第２温調運転の開始直後は、室外から室内（1a,1b）へ向かう空気が通過する第１熱交換器（81a,81b）（第２熱交換器（82a,82b））の吸着剤に吸着された水分が第１熱交換器（81a,81b）（第２熱交換器（82a,82b））を流通する高温の冷媒によって加熱されて空気中に脱離されて空気が加湿されるが、第１熱交換器（81a,81b）（第２熱交換器（82a,82b））の吸着剤に吸着された水分が全て脱離されると、それ以降は、吸着水分の脱離に利用されていた高温の冷媒の温熱が空気の加熱に用いられる。つまり、凝縮器となっている第１熱交換器（81a,81b）を通過する室外からの空気が第１熱交換器（81a,81b）を流通する高温の冷媒によって加熱されて室内（1a,1b）に供給される。
【００２３】
第５の発明は、第３の発明において、上記制御装置（90）は、上記第１温調運転の終了後に、上記湿度調節装置（50a,50b）において上記冷媒回路（60a,60b）及び上記空気通路を上記第１の冷熱供給状態と上記第２の冷熱供給状態とに所定間隔で交互に切り換えて除湿された空気を室内（1a,1b）に供給する除湿運転を実行する冷房除湿運転モードが可能に構成されている。
【００２４】
第５の発明では、第１温調運転が終了すると、温度調節装置において冷房運転が実行されると共に、湿度調節装置（50a,50b）において除湿運転が実行される。また、除湿運転の際には、室内（1a,1b）の空気を冷媒回路（60a,60b）の凝縮器を経由して室外へ排出することとしている。そのため、このように第１温調運転の終了後に冷房除湿運転を実行することとすると、第１温調運転を行わずに冷房除湿運転を実行する場合に比べて低い温度の空気が凝縮器に供給され、該凝縮器における熱交換量が増大して、冷凍サイクルの高圧圧力が低下する。
【００２５】
第６の発明は、第４の発明において、上記制御装置（90）は、上記第２温調運転の終了後に、上記湿度調節装置（50a,50b）において上記冷媒回路（60a,60b）及び上記空気通路を上記第１の温熱供給状態と上記第２の温熱供給状態とに所定間隔で交互に切り換えて加湿された空気を室内（1a,1b）に供給する加湿運転を実行する暖房加湿運転モードが可能に構成されている。
【００２６】
第６の発明では、第２温調運転が終了すると、温度調節装置において暖房運転が実行されると共に、湿度調節装置（50a,50b）において加湿運転が実行される。また、加湿運転の際には、室内（1a,1b）の空気を冷媒回路（60a,60b）の蒸発器を経由して室外へ排出することとしている。そのため、このように第２温調運転の終了後に暖房加湿運転を実行することとすると、第２温調運転を行わずに暖房加湿運転を実行する場合に比べて高い温度の空気が蒸発器に供給され、該蒸発器における熱交換量が増大して、冷凍サイクルの低圧圧力が上昇する。
【００２７】
第７の発明は、第４の発明において、上記制御装置（90）は、上記第１温調運転の終了後に、上記湿度調節装置（50a,50b）において上記冷媒回路（60a,60b）及び上記空気通路を上記第１の温熱供給状態と上記第２の温熱供給状態とに所定間隔で交互に切り換えて加湿された空気を室内（1a,1b）に供給する加湿運転を実行する冷房加湿運転モードが可能に構成されている。
【００２８】
第７の発明では、第１温調運転が終了すると、温度調節装置において冷房運転が実行されると共に、湿度調節装置（50a,50b）において加湿運転が実行される。
【００２９】
ところで、加湿運転の際には、室外空気が冷媒回路（60a,60b）の凝縮器を経由して室内（1a,1b）に取り込まれる一方、室内（1a,1b）の空気が冷媒回路（60a,60b）の蒸発器を経由して室外へ排出される。そのため、室内（1a,1b）の温度が高いと、蒸発温度及び凝縮温度が高くなり、凝縮器を経由して室内（1a,1b）に取り込まれる空気の温度も高くなる。よって、温度調節装置による冷房運転を阻害してしまう。
【００３０】
しかしながら、上記発明では、冷房加湿運転の前に第１温調運転が実行されるため、室内（1a,1b）の温度を十分に下げた上で、湿度調節装置（50a,50b）において加湿運転が実行されることとなる。そのため、蒸発温度及び凝縮温度の上昇が抑制され、凝縮器を経由して室内（1a,1b）に取り込まれる空気の温度上昇が抑制される。よって、温度調節装置による冷房運転が阻害されない。
【発明の効果】
【００３１】
本発明によれば、起動の際に、温度調節装置（20a,20b）において冷房運転が実行される場合には、湿度調節装置（50a,50b）の冷却手段を用いて空気を冷却して室内（1a,1b）に供給する第１温調運転を実行する一方、起動の際に、温度調節装置（20a,20b）において暖房運転が実行される場合には、湿度調節装置（50a,50b）の加熱手段を用いて空気を加熱して室内（1a,1b）に供給する第２温調運転を実行することとした。つまり、空調システムの起動の際に、湿度調節装置（50a,50b）の冷却手段及び加熱手段を用いて潜熱処理を行うのではなく、顕熱処理を優先させることとした。
【００３２】
ここで、在室者にとって、室内（1a,1b）の空気の湿度が変化するよりも温度が変化する方が体感し易いという傾向がある。
【００３３】
そこで、上述のように、空調システムの起動の際に、温度調節装置（20a,20b）だけでなく湿度調節装置（50a,50b）においても顕熱処理を行うことにより、室内温度が目標温度に達するまでの時間を短縮することができる。そのため、在室者が快適感を得るまでの時間を短縮することができる。つまり、在室者の快適性を早急に向上させることができる。
【００３４】
また、第２の発明によれば、第１温調運転の実行時に、室内空気の冷熱を凝縮器において回収するように湿度調節装置（50a,50b）を切り換えることにより、急速に冷却させた室内空気の冷熱を回収して圧縮機の入力を低減することができる。よって、冷凍サイクルの効率を向上させることができる。また同様に、第２温調運転の実行時に、室内空気の温熱を蒸発器において回収するように湿度調節装置（50a,50b）を切り換えることにより、急速に加熱した室内空気の温熱を回収して圧縮機の入力を低減することができる。よって、冷凍サイクルの効率を向上させることができる。
【００３５】
また、第３の発明によれば、冷媒回路（60a,60b）及び空気通路を切り換えずに第１の冷熱供給状態又は第２の冷熱供給状態の一方に保持することによって容易に第１温調運転を実行することができる。
【００３６】
また、第４の発明によれば、冷媒回路（60a,60b）及び空気通路を切り換えずに第１の温熱供給状態又は第２の温熱供給状態の一方に保持することによって容易に第２温調運転を実行することができる。
【００３７】
また、第５の発明によれば、冷房除湿運転の前に第１温調運転を実行し、冷房除湿運転時に室内空気の冷熱が凝縮器において回収されるように湿度調節装置（50a,50b）を切り換えることにより、冷房除湿運転の開始直後から冷媒回路（60a,60b）の冷凍サイクルの高圧圧力を低下させて圧縮機の入力を低減することができる。よって、冷凍サイクルの効率を向上させることができる。
【００３８】
また、第６の発明によれば、暖房加湿運転の前に第２温調運転を実行し、暖房加湿運転時に室内空気の温熱が蒸発器において回収されるように湿度調節装置（50a,50b）を切り換えることにより、暖房加湿運転の開始直後から冷媒回路（60a,60b）の冷凍サイクルの低圧圧力を上昇させて圧縮機の入力を低減することができる。よって、冷凍サイクルの効率を向上させることができる。
【００３９】
また、第７の発明によれば、冷房加湿運転を実行する前に第１温調運転を実行することとしたため、室内（1a,1b）の温度を十分に下げた上で、湿度調節装置（50a,50b）において加湿運転を実行することができる。そのため、湿度調節装置（50a,50b）の冷媒回路（60a,60b）で行われる冷凍サイクルにおける蒸発温度及び凝縮温度の上昇を抑制することができるため、凝縮器を経由して室内（1a,1b）に取り込まれる空気の温度上昇を抑制することができる。よって、温度調節装置による冷房運転を阻害せずに加湿運転を実行することができるため、運転効率を向上させることができる。
【図面の簡単な説明】
【００４０】
【図１】実施形態１の空調システムの概略構成を示す冷媒回路図である。
【図２】調湿ユニットの概略構成図であって、(Ａ)は第１冷熱供給状態を示すものであり、(Ｂ)は第２冷熱供給状態を示すものである。
【図３】加湿運転中の状態を示す調湿ユニットの概略構成図であって、(Ａ)は第１温熱供給状態を示すものであり、(Ｂ)は第２温熱供給状態を示すものである。
【図４】冷房除湿運転モードの制御システムの動作を示すフロー図である。
【図５】暖房加湿運転モードの制御システムの動作を示すフロー図である。
【図６】冷房加湿運転モードの制御システムの動作を示すフロー図である。
【図７】暖房除湿運転モードの制御システムの動作を示すフロー図である。
【図８】実施形態２の空調システムの概略構成を示す冷媒回路図である。
【図９】実施形態３の空調システムの概略構成を示す冷媒回路図である。
【図１０】実施形態４の調湿ユニットの概略構成を示す図であり、(Ａ)は第１冷熱供給状態を示すものであり、(Ｂ)は第２冷熱供給状態を示すものである。
【図１１】実施形態４の調湿ユニットの概略構成を示す図であり、(Ａ)は第１温熱供給状態を示すものであり、(Ｂ)は第２温熱供給状態を示すものである。
【図１２】その他の実施形態の吸着加熱冷却器の斜視図である。
【発明を実施するための形態】
【００４１】
以下、本発明の実施形態を図面に基づいて詳細に説明する。
【００４２】
《発明の実施形態１》
本発明の実施形態１について説明する。本実施形態の空調システム（10）は、温度調節装置である空調機（20a,20b）と、湿度調節装置である外気処理機（50a,50b）とを二台ずつ備えている。また、空調システム（10）では、二台の空調機（20a,20b）と二台の外気処理機（50a,50b）とにおいて熱源ユニット（21）を共有している。
【００４３】
〈空調機の構成〉
二台の空調機（20a,20b）は、それぞれ空調ユニット（22a,22b）を備えると共に、一台の熱源ユニット（21）を共有している。また、各空調機（20a,20b）では、熱源ユニット（21）と各空調ユニット（22a,22b）とをそれぞれ配管で接続することによって空調用冷媒回路（30a,30b）が形成されている。なお、熱源ユニット（21）及び空調ユニット（22a,22b）の台数は、単なる例示である。そのため、各空調機（20a,20b）は、熱源ユニットと空調ユニットとをそれぞれ備えていてもよい。
【００４４】
熱源ユニット（21）には、室外回路（40）と室外ファン（23）とが収容されている。室外回路（40）には、圧縮機（41）と、アキュームレータ（42）と、三方切換弁（43）と、室外熱交換器（44）と、室外膨張弁（45）と、レシーバ（46）と、液側閉鎖弁（47）と、高圧ガス側閉鎖弁（48）と、低圧ガス側閉鎖弁（49）とが設けられている。
【００４５】
室外回路（40）において、圧縮機（41）は、その吐出側が三方切換弁（43）の第１のポートに接続され、その吸入側がアキュームレータ（42）を介して三方切換弁（43）の第２のポートに接続されている。三方切換弁（43）の第３のポートは、室外熱交換器（44）のガス側端に接続されている。室外熱交換器（44）の液側端は、室外膨張弁（45）の一端に接続されている。室外膨張弁（45）の他端は、レシーバ（46）を介して液側閉鎖弁（47）に接続されている。
【００４６】
室外回路（40）には、高圧センサ（26）と低圧センサ（27）とが設けられている。高圧センサ（26）は、圧縮機（41）の吐出側と三方切換弁（43）を繋ぐ配管に接続され、圧縮機（41）から吐出された高圧冷媒の圧力を計測する。低圧センサ（27）は、アキュームレータ（42）と三方切換弁（43）を繋ぐ配管に接続され、圧縮機（41）へ吸入される低圧冷媒の圧力を計測する。
【００４７】
圧縮機（41）は、いわゆる全密閉型の圧縮機である。圧縮機（41）の電動機には、図外のインバータを介して電力が供給される。インバータから電動機へ供給される交流の周波数（即ち、圧縮機（41）の運転周波数）を変化させると、電動機の回転速度が変化し、その結果、圧縮機（41）の運転容量が変化する。
【００４８】
室外熱交換器（44）は、室外ファン（23）によって供給された室外空気を冷媒と熱交換させるフィン・アンド・チューブ型の熱交換器である。三方切換弁（43）は、第１のポートが第３のポートに連通する第１位置（図１に実線で示す状態）と、第２のポートが第３のポートに連通する第２位置（図１に破線で示す状態）とに切り換わる。
【００４９】
各空調ユニット（22a,22b）には、室内回路（35a,35b）が一つずつ収容されている。また、各空調ユニット（22a,22b）には、室内ファン（24a,24b）と、室内温度センサ（25a,25b）と、液側温度センサ（28a,28b）と、ガス側温度センサ（29a,29b）とが一つずつ設けられている。
【００５０】
各室内回路（35a,35b）には、室内熱交換器（36a,36b）と、室内膨張弁（37a,37b）と、室内三方切換弁（38a,38b）が一つずつ設けられている。室内熱交換器（36a,36b）は、室内ファン（24a,24b）によって供給された室内空気を冷媒と熱交換させるフィン・アンド・チューブ型の熱交換器である。
【００５１】
各室内回路（35a,35b）において、室内熱交換器（36a,36b）は、その一端が室内膨張弁（37a,37b）を介して室内回路（35a,35b）の液側端に接続され、その他端が各室内三方切換弁（38a,38b）の第３のポートに接続されている。また、各室内三方切換弁（38a,38b）の第１ポートは室内回路（35a,35b）の低圧ガス側端に接続される一方、第２ポートは室内回路（35a,35b）の高圧ガス側端に接続されている。
【００５２】
各室内回路（35a,35b）は、それぞれの液側端が液側連絡配管（31）に接続されている。液側連絡配管（31）は、室外回路（40）の液側閉鎖弁（47）に接続されている。また、各室内回路（35a,35b）は、それぞれの高圧ガス側端が高圧ガス連絡配管（61）に接続される一方、それぞれの低圧ガス側端が低圧ガス連絡配管（62）に接続されている。そして、高圧ガス連絡配管（61）は、室外回路（40）の高圧ガス側閉鎖弁（48）に接続される一方、低圧ガス連絡配管（62）は、室外回路（40）の低圧ガス側閉鎖弁（49）に接続されている。
【００５３】
図示しないが、各空調ユニット（22a,22b）には、空気の吸込口と吹出口が形成されている。
【００５４】
〈外気処理機の構成〉
二台の外気処理機（50a,50b）は、それぞれ調湿ユニット（52a,52b）を備えると共に、一台の熱源ユニット（21）を共有している。また、外気処理機（50a,50b）では、熱源ユニット（21）と各調湿ユニット（52a,52b）とをそれぞれ配管で接続することによって調湿用冷媒回路（60a,60b）が形成されている。なお、熱源ユニット（21）及び調湿ユニットの台数は、単なる例示である。
【００５５】
図２にも示すように、各調湿ユニット（52a,52b）には、調湿用回路（80a,80b）が一つずつ収容されている。各調湿用回路（80a,80b）には、四方切換弁（83a,83b）と、第１吸着熱交換器（81a,81b）と、第２吸着熱交換器（82a,82b）と、調湿用膨張弁（84a,84b）とが一つずつ設けられている。
【００５６】
各調湿用回路（80a,80b）において、四方切換弁（83a,83b）は、その第１のポートが調湿用回路（80a,80b）の高圧側端に接続され、その第２のポートが調湿用回路（80a,80b）の低圧側端に接続されている。また、各調湿用回路（80a,80b）では、四方切換弁（83a,83b）の第４のポートから第３のポートに向かって順に、第１吸着熱交換器（81a,81b）と、調湿用膨張弁（84a,84b）と、第２吸着熱交換器（82a,82b）とが配置されている。各調湿用回路（80a,80b）は、それぞれの高圧側端が高圧ガス連絡配管（61）に接続される一方、それぞれの低圧側端が低圧ガス連絡配管（62）に接続されている。
【００５７】
第１吸着熱交換器（81a,81b）と第２吸着熱交換器（82a,82b）は、何れもフィン・アンド・チューブ型の熱交換器の表面にゼオライト等の吸着剤を担持させたものである。これら吸着熱交換器（81a,82a,81b,82b）では、その表面に担持された吸着剤が冷媒によって加熱され又は冷却され、そこを通過する空気が吸着剤と接触する。
【００５８】
各四方切換弁（83a,83b）は、第１のポートが第３のポートに連通し且つ第２のポートが第４のポートに連通する第１位置（図２(Ａ)に示す状態）と、第１のポートが第４のポートに連通し且つ第２のポートが第３のポートに連通する第２位置（図２(Ｂ)に示す状態）とに切り換わる。
【００５９】
各調湿ユニット（52a,52b）には、給気ファン（53a,53b）と排気ファン（54a,54b）とが収容されている。また、各調湿ユニット（52a,52b）には、空気通路が形成されている。各調湿ユニット（52a,52b）では、図外のダンパを開閉することによって、空気の流通経路が切り換え可能となっている。そして、各調湿ユニット（52a,52b）は、室内空気と室外空気を吸い込むと共に、吸着熱交換器（81a,82a,81b,82b）を通過した室内空気を室外へ排出し、吸着熱交換器（81a,82a,81b,82b）を通過した室外空気を室内（1a,1b）へ供給するように構成されている。
【００６０】
具体的に、各調湿ユニット（52a,52b）では、吸着熱交換器（81a,82a,81b,82b）の上流側における空気の流通経路が、室外空気が第１吸着熱交換器（81a,81b）へ送られて室内空気が第２吸着熱交換器（82a,82b）へ送られる状態（図２(Ａ)に示す状態）と、室外空気が第２吸着熱交換器（82a,82b）へ送られて室内空気が第１吸着熱交換器（81a,81b）へ送られる状態（図２(Ｂ)に示す状態）とに切り換え可能となっている。また、各調湿ユニット（52a,52b）では、吸着熱交換器（81a,82a,81b,82b）の下流側における空気の流通経路が、第１吸着熱交換器（81a,81b）を通過した空気が給気ファン（53a,53b）へ送られて第２吸着熱交換器（82a,82b）を通過した空気が排気ファン（54a,54b）へ送られる状態（図２(Ａ)に示す状態）と、第１吸着熱交換器（81a,81b）を通過した空気が排気ファン（54a,54b）へ送られて第２吸着熱交換器（82a,82b）を通過した空気が給気ファン（53a,53b）へ送られる状態（図２(Ｂ)に示す状態）とに切り換え可能となっている。
【００６１】
各調湿ユニット（52a,52b）には、室内温度センサ（55a,55b）と、室内湿度センサ（56a,56b）と、室外温度センサ（57a,57b）と、室外湿度センサ（58a,58b）とが設けられている。これらのセンサ（55a,56a,…,55b,56b,…）は、空気の流通経路における吸着熱交換器（81a,82a,81b,82b）の上流側に設置されている。室内温度センサ（55a,55b）は、調湿ユニット（52a,52b）へ吸い込まれた室内空気の温度を計測する。室内湿度センサ（56a,56b）は、調湿ユニット（52a,52b）へ吸い込まれた室内空気の相対湿度を計測する。室外温度センサ（57a,57b）は、調湿ユニット（52a,52b）へ吸い込まれた室外空気の温度を計測する。室外湿度センサ（58a,58b）は、調湿ユニット（52a,52b）へ吸い込まれた室外空気の相対湿度を計測する。
【００６２】
図示しないが、各調湿ユニット（52a,52b）には、室内空気の吸込口及び吹出口と、室外空気の吸込口及び吹出口とが形成されている。また、調湿ユニット（52a）に形成された室内空気の吸込口及び吹出口は、空調機（20a）の空調ユニット（22a）の吸込口及び吹出口が連通する室内（1a）に連通している。一方、調湿ユニット（52b）に形成された室内空気の吸込口及び吹出口は、空調機（20b）の空調ユニット（22b）の吸込口及び吹出口が連通する室内（1b）に連通している。
【００６３】
〈制御システムの構成〉
空調システム（10）の制御システム（90）は、空調側コントローラ（91a,91b）と調湿側コントローラ（92a,92b）と、熱源側コントローラ（93）と、リモコン（100a,100b）とによって構成されている。
【００６４】
空調側コントローラ（91a,91b）は、空調機（20a,20b）の空調ユニット（22a,22b）に一つずつ収容されている。各空調側コントローラ（91a,91b）には、ユーザーによって設定された室内温度の目標値（即ち、目標室内温度Ｔs）が、リモコン（100a,100b）を介して入力される。第１の空調ユニット（22a）に設けられた空調側コントローラ（91a）には、第１の空調ユニット（22a）に設けられた室内温度センサ（25a）、液側温度センサ（28a）及びガス側温度センサ（29a）の計測値が入力される。この空調側コントローラ（91a）は、第１の空調ユニット（22a）の運転動作を制御するように構成されている。第２の空調ユニット（22b）に設けられた空調側コントローラ（91b）には、第２の空調ユニット（22b）に設けられた室内温度センサ（25b）、液側温度センサ（28b）及びガス側温度センサ（29b）の計測値が入力される。この空調側コントローラ（91b）は、第２の空調ユニット（22b）の運転動作を制御するように構成されている。
【００６５】
調湿側コントローラ（92a,92b）は、外気処理機（50a,50b）の調湿ユニット（52a,52b）に一つずつ収容されている。各調湿側コントローラ（92a,92b）には、室内湿度の目標値（即ち、目標室内湿度Ｈs）が、リモコン（100a,100b）を介して入力される。第１の調湿ユニット（52a）に設けられた調湿側コントローラ（92a）には、第１の調湿ユニット（52a）に設けられた室内温度センサ（55a）、室内湿度センサ（56a）、室外温度センサ（57a）、及び室外湿度センサ（58a）の計測値が入力される。この調湿側コントローラ（92a）は、第１の調湿ユニット（52a）の運転動作を制御するように構成されている。第２の調湿ユニット（52b）に設けられた調湿側コントローラ（92b）には、第２の調湿ユニット（52b）に設けられた室内温度センサ（55b）、室内湿度センサ（56b）、室外温度センサ（57b）、及び室外湿度センサ（58b）の計測値が入力される。この調湿側コントローラ（92b）は、第２の調湿ユニット（52b）の運転動作を制御するように構成されている。
【００６６】
熱源側コントローラ（93）は、熱源ユニット（21）に収容されている。熱源側コントローラ（93）は、空調ユニット（22a,22b）の空調側コントローラ（91a,91b）や調湿ユニット（52a,52b）の調湿側コントローラ（92a,92b）との間で制御信号を伝送可能なように構成されている。熱源側コントローラ（93）には、低圧センサ（27）や高圧センサ（26）の計測値が入力される。この熱源側コントローラ（93）は、熱源ユニット（21）の運転動作を制御するように構成されている。
【００６７】
−運転動作−
空調システム（10）の運転動作について説明する。本実施形態では、空調機（20a,20b）において冷房運転と暖房運転とが実行可能になっており、外気処理機（50a,50b）において除湿運転と加湿運転と冷房運転（第１温調運転）と暖房運転（第２温調運転）とが実行可能になっている。そして、本空調システム（10）では、各室内（1a,1b）に対して、各空調機（20a,20b）と各外気処理機（50a,50b）との運転をそれぞれ切り換えることによって、室内空気の冷却と除湿とを行う冷房除湿運転モードと、室内空気の加熱と加湿とを行う暖房加湿運転モードと、室内空気の冷却と加湿とを行う冷房加湿運転モードと、室内空気の加熱と除湿とを行う暖房除湿運転モードとが可能に構成されている。
【００６８】
〈空調機の運転動作〉
上述したように、空調機（20a,20b）では、冷房運転と暖房運転とが切り換え可能となっている。冷房運転中と暖房運転中の何れにおいても、空調機（20a,20b）の空調用冷媒回路（30a,30b）では、冷媒を循環させることによって蒸気圧縮冷凍サイクルが行われる。
【００６９】
（冷房運転）
空調機（20a,20b）の冷房運転について説明する。冷房運転中の空調用冷媒回路（30a,30b）では、三方切換弁（43）が第１位置（図１に実線で示す状態）に設定され、室外膨張弁（45）が全開状態に設定され、各室内三方切換弁（38a,38b）が第１位置（図１に実線で示す状態）に設定され、各室内膨張弁（37a,37b）の開度が適宜調節される。また、冷房運転中の空調用冷媒回路（30a,30b）では、室外熱交換器（44）が凝縮器として動作し、各室内熱交換器（36a,36b）が蒸発器として動作する。
【００７０】
冷房運転中の空調用冷媒回路（30a,30b）における冷媒の流れを具体的に説明する。圧縮機（41）から吐出された高圧冷媒は、三方切換弁（43）を通過後に室外熱交換器（44）へ流入し、室外空気へ放熱して凝縮する。室外熱交換器（44）から流出した冷媒は、室外膨張弁（45）とレシーバ（46）を通過後に液側連絡配管（31）へ流入し、各室内回路（35a,35b）へ分配される。各室内回路（35a,35b）へ流入した冷媒は、室内膨張弁（37a,37b）を通過する際に減圧されて低圧冷媒となり、その後に室内熱交換器（36a,36b）へ流入し、室内空気から吸熱して蒸発する。各室内回路（35a,35b）において室内熱交換器（36a,36b）から流出した冷媒は、室内三方切換弁（38a,38b）を通過後に低圧ガス連絡配管（62）に流入する。低圧ガス連絡配管（62）に流入した冷媒は、やがて室外回路（40）へ流入し、アキュームレータ（42）を通過後に圧縮機（41）へ吸入されて圧縮される。
【００７１】
上述したように、冷房運転中には、各室内熱交換器（36a,36b）が蒸発器として動作する。各空調ユニット（22a,22b）は、吸い込んだ室内空気を室内熱交換器（36a,36b）において冷却した後に室内（1a,1b）へ送り返す。
【００７２】
（暖房運転）
空調機（20a,20b）の暖房運転について説明する。暖房運転中の空調用冷媒回路（30a,30b）では、三方切換弁（43）及び各室内三方弁（38a,38b）が第２位置（図１に破線で示す状態）に設定され、室外膨張弁（45）及び各室内膨張弁（37a,37b）の開度が適宜調節される。また、暖房運転中の空調用冷媒回路（30a,30b）では、各室内熱交換器（36a,36b）が凝縮器として動作し、室外熱交換器（44）が蒸発器として動作する。
【００７３】
暖房運転中の空調用冷媒回路（30a,30b）における冷媒の流れを具体的に説明する。圧縮機（41）から吐出された冷媒は、高圧ガス連絡配管（61）へ流入し、各室内回路（35a,35b）へ分配される。各室内回路（35a,35b）へ流入した冷媒は、室内三方弁（38a,38b）を通過後に室内熱交換器（36a,36b）へ流入し、室内空気へ放熱して凝縮する。各室内回路（35a,35b）において室内熱交換器（36a,36b）から流出した冷媒は、室内膨張弁（37a,37b）を通過後に液側連絡配管（31）へ流入して合流してから室外回路（40）へ流入する。室外回路（40）へ流入した冷媒は、レシーバ（46）を通過後に室外膨張弁（45）へ流入し、室外膨張弁（45）を通過する際に減圧されて低圧冷媒となる。室外膨張弁（45）を通過した冷媒は、室外熱交換器（44）へ流入し、室外空気から吸熱して蒸発する。室外熱交換器（44）から流出した冷媒は、三方切換弁（43）及びアキュームレータ（42）を通過後に圧縮機（41）へ吸入されて圧縮される。
【００７４】
上述したように、暖房運転中には、各室内熱交換器（36a,36b）が凝縮器として動作する。各空調ユニット（22a,22b）は、吸い込んだ室内空気を室内熱交換器（36a,36b）において加熱した後に室内（1a,1b）へ送り返す。
【００７５】
なお、空調機（20a,20b）は、それぞれ室内三方切換弁（38a,38b）を有しているため、それぞれの室内（1a,1b）において冷房運転と暖房運転とが選択的に実行可能に構成されている。そのため、空調機（20a）において冷房運転を実行する一方、空調機（20b）において暖房運転を実行することも可能であり、空調機（20a）において暖房運転を実行する一方、空調機（20b）において冷房運転を実行することも可能である。
【００７６】
〈外気処理機の運転動作〉
上述したように、外気処理機（50a,50b）では、除湿運転と加湿運転とが実行可能となっている。除湿運転中と加湿運転中の何れにおいても、外気処理機（50a,50b）の調湿用冷媒回路（60）では、冷媒を循環させることによって蒸気圧縮冷凍サイクルが行われる。
【００７７】
（除湿運転）
外気処理機（50a,50b）の除湿運転について、図２を参照しながら説明する。除湿運転中、各調湿ユニット（52a,52b）は、各調湿側コントローラ（92a,92b）によって、室外空気が蒸発器となっている第１吸着熱交換器（81a,81b）を通過して室内（1a,1b）に供給される第１冷熱供給状態と、室外空気が蒸発器となっている第２吸着熱交換器（82a,82b）を通過して室内（1a,1b）に供給される第２冷熱供給状態とに交互に所定の時間毎（例えば３分間毎）に切り換えられる。なお、各調湿ユニット（52a,52b）における第１冷熱供給状態と第２冷熱供給状態の相互切り換えのタイミングは、互いに同期している必要はない。
【００７８】
具体的には、図２(Ａ)に示すように、第１冷熱供給状態の調湿ユニット（52a,52b）では、四方切換弁（83a,83b）が第１位置に設定されて調湿用回路（80a,80b）が第１の循環状態に切り換えられている。そして、調湿用膨張弁（84a,84b）の開度が適宜調節される。第１の循環状態の調湿用回路（80a,80b）では、第１吸着熱交換器（81a,81b）が蒸発器として動作し、第２吸着熱交換器（82a,82b）が凝縮器として動作する。第１吸着熱交換器（81a,81b）では、その表面に担持された吸着剤が冷媒によって冷却される。第２吸着熱交換器（82a,82b）では、その表面に担持された吸着剤が冷媒によって加熱される。
【００７９】
第１の循環状態の調湿用回路（80a,80b）における冷媒の流れを具体的に説明する。調湿用回路（80a,80b）の高圧側端には、圧縮機（41）から吐出された高圧冷媒が高圧ガス連絡配管（61）を通じて供給される。調湿用回路（80a,80b）へ流入した高圧冷媒は、四方切換弁（83a,83b）を通過後に第２吸着熱交換器（82a,82b）へ流入して凝縮する。第２吸着熱交換器（82a,82b）から流出した冷媒は、調湿用膨張弁（84a,84b）を通過する際に減圧されて低圧冷媒となり、その後に第１吸着熱交換器（81a,81b）へ流入して蒸発する。第１吸着熱交換器（81a,81b）から流出した冷媒は、四方切換弁（83a,83b）を通過後に低圧ガス連絡配管（62）へ流入し、その後に圧縮機（41）へ吸入されて圧縮される。
【００８０】
また、図２(Ａ)に示すように、第１冷熱供給状態の調湿ユニット（52a,52b）では、空気通路が第１の流通状態に切り換えられている。第１の流通状態では、室外空気が給気ファン（53a,53b）によって第１吸着熱交換器（81a,81b）へ送られ、室内空気が排気ファン（54a,54b）によって第２吸着熱交換器（82a,82b）へ送られる。
【００８１】
以上のように第１冷熱供給状態の調湿ユニット（52a,52b）では、室外空気が蒸発器となっている第１吸着熱交換器（81a,81b）に供給される一方、室内空気が凝縮器となっている第２吸着熱交換器（82a,82b）に供給される。これにより、第１吸着熱交換器（81a,81b）を通過する空気中の水分が該第１吸着熱交換器（81a,81b）の吸着剤に吸着されることによって室外からの空気が除湿される一方、第２吸着熱交換器（82a,82b）を通過する空気に第２吸着熱交換器（82a,82b）の加熱された吸着剤から脱離した水分が付与されることによって室内（1a,1b）からの空気が加湿される。そして、第１吸着熱交換器（81a,81b）において除湿された空気は室内（1a,1b）に供給される一方、第２吸着熱交換器（82a,82b）において加湿された空気は室外へ排出される。
【００８２】
図２(Ｂ)に示すように、第２冷熱供給状態の調湿ユニット（52a,52b）では、四方切換弁（83a,83b）が第２位置に設定されて調湿用回路（80a,80b）が第２の循環状態に切り換えられている。そして、調湿用膨張弁（84a,84b）の開度が適宜調節される。第２の循環状態の調湿用回路（80a,80b）では、第１吸着熱交換器（81a,81b）が凝縮器として動作し、第２吸着熱交換器（82a,82b）が蒸発器として動作する。第１吸着熱交換器（81a,81b）では、その表面に担持された吸着剤が冷媒によって加熱される。一方、第２吸着熱交換器（82a,82b）では、その表面に担持された吸着剤が冷媒によって冷却される。
【００８３】
第２の循環状態の調湿用回路（80a,80b）における冷媒の流れを具体的に説明する。調湿用回路（80a,80b）の高圧側端には、圧縮機（41）から吐出された高圧冷媒が高圧ガス連絡配管（61）を通じて供給される。調湿用回路（80a,80b）へ流入した高圧冷媒は、四方切換弁（83a,83b）を通過後に第１吸着熱交換器（81a,81b）へ流入して凝縮する。第１吸着熱交換器（81a,81b）から流出した冷媒は、調湿用膨張弁（84a,84b）を通過する際に減圧されて低圧冷媒となり、その後に第２吸着熱交換器（82a,82b）へ流入して蒸発する。第２吸着熱交換器（82a,82b）から流出した冷媒は、四方切換弁（83a,83b）を通過後に低圧ガス連絡配管（62）へ流入し、その後に圧縮機（41）へ吸入されて圧縮される。
【００８４】
また、図２(Ｂ)に示すように、第２冷熱供給状態の調湿ユニット（52a,52b）では、空気通路が第２の流通状態に切り換えられている。第２の流通状態では、室外空気が第２吸着熱交換器（82a,82b）へ送られ、室内空気が第１吸着熱交換器（81a,81b）へ送られる。
【００８５】
以上のように第２冷熱供給状態の調湿ユニット（52a,52b）では、室外空気が蒸発器となっている第２吸着熱交換器（82a,82b）に供給される一方、室内空気が凝縮器となっている第１吸着熱交換器（81a,81b）に供給される。これにより、第２吸着熱交換器（82a,82b）を通過する空気中の水分が該第２吸着熱交換器（82a,82b）の吸着剤に吸着されることによって室外からの空気が除湿される一方、第１吸着熱交換器（81a,81b）を通過する空気に第１吸着熱交換器（81a,81b）の加熱された吸着剤から脱離した水分が付与されることによって室内（1a,1b）からの空気が加湿される。そして、第２吸着熱交換器（82a,82b）において除湿された空気は室内（1a,1b）に供給される一方、第１吸着熱交換器（81a,81b）において加湿された空気は室外へ排出される。
【００８６】
このように、除湿運転では、第１冷熱供給状態と第２冷熱供給状態とに交互に所定の時間毎（例えば３分間毎）に切り換えることにより、第１吸着熱交換器（81a,81b）及び第２吸着熱交換器（82a,82b）において、吸着剤に空気中の水分が吸着される状態と、吸着剤が加熱されて該吸着剤に吸着された水分が脱離される状態とが交互に所定の時間毎に切り換えられる。よって、第１吸着熱交換器（81a,81b）及び第２吸着熱交換器（82a,82b）の吸着剤に許容量以上の水分が吸着されることなく、室外空気の除湿を連続して行うことができる。
【００８７】
（加湿運転）
外気処理機（50a,50b）の加湿運転について、図３を参照しながら説明する。加湿運転中、各調湿ユニット（52a,52b）は、各調湿側コントローラ（92a,92b）によって、室外空気が凝縮器となっている第１吸着熱交換器（81a,81b）を通過して室内（1a,1b）に供給される第１温熱供給状態と、室外空気が凝縮器となっている第２吸着熱交換器（82a,82b）を通過して室内（1a,1b）に供給される第２温熱供給状態とに交互に所定の時間毎（例えば３分間毎）に切り換えられる。なお、各調湿ユニット（52a,52b）における第１温熱供給状態と第２温熱供給状態の相互切り換えのタイミングは、互いに同期している必要はない。
【００８８】
具体的には、図３(Ａ)に示すように、第１温熱供給状態の調湿ユニット（52a,52b）では、四方切換弁（83a,83b）が第２位置に設定されて調湿用回路（80a,80b）が第２の循環状態に切り換えられている。そして、調湿用膨張弁（84a,84b）の開度が適宜調節される。第２の循環状態の調湿用回路（80a,80b）では、第１吸着熱交換器（81a,81b）が凝縮器として動作し、第２吸着熱交換器（82a,82b）が蒸発器として動作する。第１吸着熱交換器（81a,81b）では、その表面に担持された吸着剤が冷媒によって加熱される。第２吸着熱交換器（82a,82b）では、その表面に担持された吸着剤が冷媒によって冷却される。第２の循環状態の調湿用回路（80a,80b）における冷媒の流れは、除湿運転の第２の循環状態の調湿用回路（80a,80b）における冷媒の流れと同じである。
【００８９】
また、図３(Ａ)に示すように、第１温熱供給状態の調湿ユニット（52a,52b）では、空気通路が第１の流通状態に切り換えられている。第１の流通状態では、室外空気が給気ファン（54a,54b）によって第１吸着熱交換器（81a,81b）へ送られ、室内空気が排気ファン（54a,54b）によって第２吸着熱交換器（82a,82b）へ送られる。
【００９０】
以上のように第１温熱供給状態の調湿ユニット（52a,52b）では、室外空気が凝縮器となっている第１吸着熱交換器（81a,81b）に供給される一方、室内空気が蒸発器となっている第２吸着熱交換器（82a,82b）に供給される。これにより、第１吸着熱交換器（81a,81b）を通過する空気に第１吸着熱交換器（81a,81b）の加熱された吸着剤から脱離した水分が付与されることによって室外からの空気が加湿される一方、第２吸着熱交換器（82a,82b）を通過する空気中の水分が該第２吸着熱交換器（82a,82b）の吸着剤に吸着されることによって室内（1a,1b）からの空気が除湿される。そして、第１吸着熱交換器（81a,81b）において加湿された空気は室内（1a,1b）に供給される一方、第２吸着熱交換器（82a,82b）において除湿された空気は室外へ排出される。
【００９１】
図３(Ｂ)に示すように、第２温熱供給状態の調湿ユニット（52a,52b）では、四方切換弁（83a,83b）が第１位置に設定され、調湿用回路（80a,80b）が第１の循環状態に切り換えられている。そして、調湿用膨張弁（84a,84b）の開度が適宜調節される。第１の循環状態の調湿用回路（80a,80b）では、第２吸着熱交換器（82a,82b）が凝縮器として動作し、第１吸着熱交換器（81a,81b）が蒸発器として動作する。第２吸着熱交換器（82a,82b）では、その表面に担持された吸着剤が冷媒によって加熱される。一方、第１吸着熱交換器（81a,81b）では、その表面に担持された吸着剤が冷媒によって冷却される。
【００９２】
なお、上記第１の循環状態の調湿用回路（80a,80b）における冷媒の流れは、除湿運転における第１の循環状態の調湿用回路（80a,80b）における冷媒の流れと同じである。
【００９３】
また、図３(Ｂ)に示すように、第２温熱供給状態の調湿ユニット（52a,52b）では、空気通路が第２の流通状態に切り換えられている。第２の流通状態では、室外空気が第２吸着熱交換器（82a,82b）へ送られ、室内空気が第１吸着熱交換器（81a,81b）へ送られる。
【００９４】
以上のように第２温熱供給状態の調湿ユニット（52a,52b）では、室外空気が凝縮器となっている第２吸着熱交換器（82a,82b）に供給される一方、室内空気が蒸発器となっている第１吸着熱交換器（81a,81b）に供給される。これにより、第２吸着熱交換器（82a,82b）を通過する空気に第２吸着熱交換器（82a,82b）の加熱された吸着剤から脱離した水分が付与されることによって室外からの空気が加湿される一方、第１吸着熱交換器（81a,81b）を通過する空気中の水分が該第１吸着熱交換器（81a,81b）の吸着剤に吸着されることによって室内（1a,1b）からの空気が除湿される。そして、第２吸着熱交換器（82a,82b）において加湿された空気は室内（1a,1b）に供給される一方、第１吸着熱交換器（81a,81b）において除湿された空気は室外へ排出される。
【００９５】
このように、加湿運転では、第１温熱供給状態と第２温熱供給状態とに交互に所定の時間毎（例えば３分間毎）に切り換えることにより、第１吸着熱交換器（81a,81b）及び第２吸着熱交換器（82a,82b）において、吸着剤が加熱されて該吸着剤に吸着された水分が脱離される状態と、吸着剤に空気中の水分が吸着される状態とが交互に所定の時間毎に切り換えられる。よって、第１吸着熱交換器（81a,81b）及び第２吸着熱交換器（82a,82b）の吸着剤に吸着された水分が全て脱離してしまうことなく、室外空気の加湿を連続して行うことができる。
【００９６】
（冷房運転（第１温調運転））
外気処理機（50a,50b）の冷房運転（第１温調運転）について、図２（Ａ）、（Ｂ）を参照しながら説明する。本実施形態では、冷房運転（第１温調運転）は、空調システム（10）において、冷房除湿運転又は冷房加湿運転を実行する場合に、空調システム（10）の起動後所定期間実行される。冷房運転の際には、各調湿ユニット（52a,52b）は、上記除湿運転における第１冷熱供給状態又は第２冷熱供給状態に保持される。なお、各調湿ユニット（52a,52b）において上記状態は一致している必要はない。また、第１冷熱供給状態及び第２冷熱供給状態の調湿用回路（80a,80b）における冷媒の流れ及び空気通路における空気の流れについては上記除湿運転時と同様であるため、説明を省略する。
【００９７】
図２（Ａ）に示すように、第１冷熱供給状態の調湿ユニット（52a,52b）では、室外空気が蒸発器となっている第１吸着熱交換器（81a,81b）へ供給される一方、室内空気が凝縮器となっている第２吸着熱交換器（82a,82b）へ供給される。これにより、第１吸着熱交換器（81a,81b）を通過する空気中の水分が該第１吸着熱交換器（81a,81b）の吸着剤に吸着されることによって室外からの空気が除湿され、その際に発生した吸着熱が蒸発器となっている第１吸着熱交換器（81a,81b）を流れる低温の冷媒に吸熱される。一方、第２吸着熱交換器（82a,82b）を通過する空気に第２吸着熱交換器（82a,82b）の加熱された吸着剤から脱離した水分が付与されることによって室内（1a,1b）からの空気が加湿される。そして、第１吸着熱交換器（81a,81b）において除湿された空気は室内（1a,1b）に供給される一方、第２吸着熱交換器（82a,82b）において加湿された空気は室外へ排出される。
【００９８】
上記第１冷熱供給状態が継続されると、第１吸着熱交換器（81a,81b）では、やがて吸着剤に限界量の水分が吸着されて飽和状態となり、それ以上水分が吸着されなくなる。そのため、第１吸着熱交換器（81a,81b）では、吸着熱が発生しなくなり、第１吸着熱交換器（81a,81b）を流れる冷媒は、第１吸着熱交換器（81a,81b）を通過する室外空気から吸熱して該室外空気を冷却し、該冷却空気が室内（1a,1b）に供給されることとなる。
【００９９】
また、図２（Ｂ）に示すように、第２冷却供給状態の調湿ユニット（52a,52b）では、室外空気が蒸発器となっている第２吸着熱交換器（82a,82b）に供給される一方、室内空気が凝縮器となっている第１吸着熱交換器（81a,81b）に供給される。これにより、第２吸着熱交換器（82a,82b）を通過する空気中の水分が該第２吸着熱交換器（82a,82b）の吸着剤に吸着されることによって室外からの空気が除湿され、その際に発生した吸着熱が蒸発器となっている第２吸着熱交換器（82a,82b）を流れる低温の冷媒に吸熱される。一方、第１吸着熱交換器（81a,81b）を通過する空気に第１吸着熱交換器（81a,81b）の加熱された吸着剤から脱離した水分が付与されることによって室内（1a,1b）からの空気が加湿される。そして、第２吸着熱交換器（82a,82b）において除湿された空気は室内（1a,1b）に供給される一方、第１吸着熱交換器（81a,81b）において加湿された空気は室外へ排出される。
【０１００】
上記第２冷熱供給状態が継続されると、第２吸着熱交換器（82a,82b）では、やがて吸着剤に限界量の水分が吸着されて飽和状態となり、それ以上水分が吸着されなくなる。そのため、第２吸着熱交換器（82a,82b）では、吸着熱が発生しなくなり、第２吸着熱交換器（82a,82b）を流れる冷媒は、第２吸着熱交換器（82a,82b）を通過する室外空気から吸熱して該室外空気を冷却し、該冷却空気が室内（1a,1b）に供給されることとなる。
【０１０１】
このように第１冷熱供給状態又は第２冷熱供給状態を継続すると、蒸発器となっている第１吸着熱交換器（81a,81b）又は第２吸着熱交換器（82a,82b）を流れる冷媒の冷熱が吸着熱の処理ではなく室外からの空気の冷却に用いられることとなる。そして、冷却後の空気が室内（1a,1b）に供給されることによって室内（1a,1b）の空気が冷却される。
【０１０２】
（暖房運転（第２温調運転））
外気処理機（50a,50b）の暖房運転（第２温調運転）について、図３（Ａ）、（Ｂ）を参照しながら説明する。本実施形態では、暖房運転（第２温調運転）は、空調システム（10）において、暖房加湿運転又は暖房除湿運転を実行する場合に、空調システム（10）の起動後所定期間実行される。暖房運転の際には、各調湿ユニット（52a,52b）は、上記加湿運転における第１温熱供給状態又は第２温熱供給状態に保持される。なお、各調湿ユニット（52a,52b）において行われる上記状態は一致している必要はない。また、第１温熱供給状態及び第２温熱供給状態の調湿用回路（80a,80b）における冷媒の流れ及び空気通路における空気の流れについては上記加湿運転時と同様であるため、説明を省略する。
【０１０３】
図３（Ａ）に示すように、第１温熱供給状態の調湿ユニット（52a,52b）では、室外空気が凝縮器となっている第１吸着熱交換器（81a,81b）へ供給される一方、室内空気が蒸発器となっている第２吸着熱交換器（82a,82b）へ供給される。これにより、第１吸着熱交換器（81a,81b）を通過する空気に第１吸着熱交換器（81a,81b）の加熱された吸着剤から脱離した水分が付与されることによって室外からの空気が加湿される。一方、第２吸着熱交換器（82a,82b）を通過する空気中の水分が該第２吸着熱交換器（82a,82b）の吸着剤に吸着されることによって室内（1a,1b）からの空気が除湿され、その際に発生した吸着熱が蒸発器となっている第２吸着熱交換器（82a,82b）を流れる低温の冷媒に吸熱される。そして、第１吸着熱交換器（81a,81b）において加湿された空気は室内（1a,1b）に供給される一方、第２吸着熱交換器（82a,82b）において除湿された空気は室外へ排出される。
【０１０４】
上記第１温熱供給状態が継続されると、第１吸着熱交換器（81a,81b）では、やがて吸着剤から水分が全て脱離され、第１吸着熱交換器（81a,81b）を流れる冷媒は、第１吸着熱交換器（81a,81b）を通過する室外空気に放熱して該室外空気を加熱し、該加熱空気が室内（1a,1b）に供給されることとなる。
【０１０５】
また、図３（Ｂ）に示すように、第２温熱供給状態の調湿ユニット（52a,52b）では、室外空気が凝縮器となっている第２吸着熱交換器（82a,82b）に供給される一方、室内空気が蒸発器となっている第１吸着熱交換器（81a,81b）に供給される。これにより、第２吸着熱交換器（82a,82b）を通過する空気に第２吸着熱交換器（82a,82b）の加熱された吸着剤から脱離した水分が付与されることによって室外からの空気が加湿される。一方、第１吸着熱交換器（81a,81b）を通過する空気中の水分が該第１吸着熱交換器（81a,81b）の吸着剤に吸着されることによって室内（1a,1b）からの空気が除湿され、その際に発生した吸着熱が蒸発器となっている第１吸着熱交換器（81a,81b）を流れる低温の冷媒に吸熱される。そして、第２吸着熱交換器（82a,82b）において加湿された空気は室内（1a,1b）に供給される一方、第１吸着熱交換器（81a,81b）において除湿された空気は室外へ排出される。
【０１０６】
上記第２温熱供給状態が継続されると、第２吸着熱交換器（82a,82b）では、やがて吸着剤から水分が全て脱離され、第２吸着熱交換器（82a,82b）を流れる冷媒は、第２吸着熱交換器（82a,82b）を通過する室外からの空気に放熱して該空気を加熱し、該加熱空気が室内（1a,1b）へ供給されることとなる。
【０１０７】
このように第１温熱供給状態又は第２温熱供給状態を継続すると、凝縮器となっている第１吸着熱交換器（81a,81b）又は第２吸着熱交換器（82a,82b）を流れる冷媒の温熱が吸着剤の加熱ではなく室外からの空気の加熱に用いられることとなる。そして、加熱後の空気が室内（1a,1b）に供給されることによって室内（1a,1b）の空気が加熱される。
【０１０８】
〈制御システムの動作〉
次に、制御システム（90）の動作について説明する。なお、室内（1a）と室内（1b）とに対する制御システム（90）の動作はほぼ同様であるため、以下では室内（1a）についてのみ説明する。
【０１０９】
（冷房除湿運転モード）
まず、空調システム（10）において冷房除湿運転モードが選択された場合の制御システム（90）の動作について図４のフロー図を参照しながら説明する。
【０１１０】
リモコン（100a）に設けられた電源ボタンをユーザーが操作すると、空調システム（10）の電源が投入される。空調システム（10）の電源が投入されると、ステップST１において、リモコン（100a）から室内空気の温度の目標値（目標室内温度Ｔs）が空調ユニット（22a）の空調側コントローラ（91a）に入力される。一方、第１の調湿ユニット（52a）の調湿側コントローラ（92a）には、リモコン（100a）から室内空気の温度の目標値（目標室内温度Ｔs）と、室内空気の相対湿度の目標値（目標室内湿度Ｈs）とが入力される。
【０１１１】
次に、ステップST２において、空調側コントローラ（91a）は、室内温度センサ（25a）の計測値Ｔr（室内空気の温度の実測値）を読み込み、目標室内温度Ｔsと室内空気の温度Ｔrとの温度差である必要顕熱能力値ΔＴを演算すると共に、空調ユニット（22a）の運転モードを冷房運転に設定する。そして、空調側コントローラ（91a）は、運転モード（冷房運転）を信号化して調湿側コントローラ（92a）に送信する一方、必要顕熱能力値ΔＴを信号化して熱源側コントローラ（93）に送信する。
【０１１２】
ステップST３において、調湿側コントローラ（92a）は、調湿ユニット（52a）の運転モードを空調側コントローラ（91a）から受信した空調ユニット（22a）の運転モードに合わせて冷房運転に設定する。また、調湿側コントローラ（92a）は、室内温度センサ（55a）の計測値Ｔr（即ち、室内空気の温度の実測値）と、室内湿度センサ（56a）の計測値Ｈr（即ち、室内空気の相対湿度の実測値）と、室外温度センサ（57a）の計測値Ｔo（即ち、室外空気の温度の実測値）と、室外湿度センサ（58a）の計測値Ｈo（即ち、室外空気の相対湿度の実測値）とを読み込み、目標室内温度Ｔs及び目標室内湿度Ｈsからエンタルピの目標値又は絶対湿度の目標値を演算する一方、室内空気の温度Ｔr及び室内空気の相対湿度Ｈrから室内空気のエンタルピの現在値又は絶対湿度の現在値を演算し、両値の差である必要潜熱能力値Δｈを演算する。そして、調湿側コントローラ（92a）は、必要潜熱能力値Δｈを信号化して熱源側コントローラ（93）に送信する。
【０１１３】
ステップST３が終了すると、ステップST４とステップST５とが並行して実行される。
【０１１４】
ステップST４において、空調側コントローラ（91a）は、空調ユニット（22a）において冷房運転を開始する。一方、ステップST５において、調湿側コントローラ（92a）は、調湿ユニット（52a）において冷房運転を開始する。なお、このとき、熱源側コントローラ（93）は、空調側コントローラ（91a）から受信した必要顕熱能力値ΔＴと調湿側コントローラ（92a）から受信した必要潜熱能力値Δｈとに応じて圧縮機（41）の運転周波数を制御する。
【０１１５】
このようにして、室内（1a）では、空調ユニット（22a）において冷房運転が実行されると共に、調湿ユニット（52a）においても冷房運転が実行される。そのため、室内（1a）には、空調ユニット（22a）及び調湿ユニット（52a）において冷却された空気が供給されるため、室内（1a）の空気は急速に冷却されていく。
【０１１６】
そして、ステップST６において、空調側コントローラ（91a）が室内温度センサ（55a）の計測値Ｔrを読み込み、“Ｔr−Ｔs”と、所定の基準値“−α”とを比較する。なお、“α”の値は、例えば「１℃」に設定される。
【０１１７】
ステップST６において“Ｔr−Ｔs＞−α”である場合、室内空気の温度が充分に下がっておらず、室内空気の冷却を継続して行う必要があると判断できる。そこで、制御システム（90）は、空調ユニット（22a）において冷房運転を継続する。
【０１１８】
一方、ステップST６において“Ｔr−Ｔs≦−α”である場合、室内空気の温度が充分に下がっており、室内空気を冷却し続ける必要はないと判断できる。そこで、制御システム（90）は、ステップST７へ移行し、空調ユニット（22a）における冷房運転を休止する。具体的には、空調側コントローラ（91a）によって室内膨張弁（37a）を閉じて室内熱交換器（36a）への冷媒の流通を停止すると共に、室内ファン（24a）を停止する。そして、空調側コントローラ（91a）から調湿側コントローラ（92a）に、空調ユニット（22a）の冷房運転休止の情報を信号化して送信する。
【０１１９】
ステップST７が終了すると、調湿ユニット（52a）においてステップST８が実行されると共に、空調ユニット（22a）においてステップST１３が実行される。
【０１２０】
ステップST８において、調湿側コントローラ（92a）は、空調側コントローラ（91a）から空調ユニット（22a）の冷房運転休止の情報を受信し、調湿ユニット（52a）において冷房運転を終了して除湿運転を開始する。
【０１２１】
次に、調湿側コントローラ（92a）は、ステップST９において、室内湿度センサ（56a）の計測値Ｈrを読み込み、“Ｈr−Ｈs”と、所定の基準値“−β”とを比較する。なお、“β”の値は、例えば「３％」に設定される。
【０１２２】
ステップST９において“Ｈr−Ｈs＞−β”である場合、室内空気の相対湿度が充分に下がっておらず、室内（1a）へ供給される室外空気の除湿を継続して行う必要があると判断できる。そこで、制御システム（90）は、調湿ユニット（52a）において除湿運転を継続する。
【０１２３】
一方、ステップST９において“Ｈr−Ｈs≦−β”である場合は、室内空気の相対湿度が充分に下がっており、室内（1a）へ供給される室外空気を除湿し続ける必要はないと判断できる。そこで、制御システム（90）は、ステップST１０へ移行し、調湿ユニット（52a）における除湿運転を休止する。具体的には、調湿側コントローラ（92a）が、調湿用膨張弁（84a）を閉じて第１吸着熱交換器（81a）及び第２吸着熱交換器（82a）への冷媒の流通を停止すると共に、給気ファン（53a）及び排気ファン（54a）の運転を停止する。
【０１２４】
なお、このとき、調湿側コントローラ（92a）は、給気ファン（53a）及び排気ファン（54a）の運転を停止させずに室内（1a）の換気を継続させることとしてもよい。また、空調ユニット（22a）において冷房運転が停止されている場合には、圧縮機（41）を停止させて調湿ユニット（52a）における除湿運転を休止することとしてもよい。
【０１２５】
ステップST１１において、調湿側コントローラ（92a）が室内湿度センサ（56a）の計測値Ｈrを読み込み、“Ｈr−Ｈs”と、所定の基準値“β”とを比較する。
【０１２６】
ステップST１１において“Ｈr−Ｈs＜β”である場合、室内空気の相対湿度が充分に下がっており、室内（1a）へ供給される室外空気の除湿を行う必要がないと判断できる。そこで、この場合、制御システム（90）は、調湿ユニット（52a）において除湿運転の休止状態を継続する。
【０１２７】
一方、ステップST１１において“Ｈr−Ｈs≧β”である場合、室内空気の相対湿度が目標室内湿度Ｈsを上回り、室内（1a）へ供給される室外空気を除湿する必要があると判断できる。そこで、制御システム（90）は、ステップST１２へ移行し、調湿ユニット（52a）において除湿運転を再開する。
【０１２８】
その後、制御システム（90）はステップST９へ戻り、ステップST９〜ステップST１２が繰り返し実行される。
【０１２９】
一方、ステップST１３では、空調側コントローラ（91a）が室内温度センサ（55a）の計測値Ｔrを読み込み、“Ｔr−Ｔs”と、所定の基準値“α”とを比較する。
【０１３０】
ステップST１３において“Ｔr−Ｔs＜α”である場合、室内空気の温度が充分に下がっており、室内空気の冷却を行う必要がないと判断できる。そこで、制御システム（90）は、空調ユニット（22a）において冷房運転の休止状態を継続する。
【０１３１】
一方、ステップST１３において“Ｔr−Ｔs≧α”である場合は、室内空気の温度が目標室内温度Ｔsを上回り、室内空気を冷却する必要があると判断できる。そこで、制御システム（90）は、ステップST１４へ移行し、空調ユニット（22a）における冷房運転を再開し、ステップST１５へ移行する。
【０１３２】
ステップST１５では、空調側コントローラ（91a）が室内温度センサ（55a）の計測値Ｔrを読み込み、“Ｔr−Ｔs”と、所定の基準値“−α”とを比較する。
【０１３３】
ステップST１５において“Ｔr−Ｔs＞−α”である場合、室内空気の温度が充分に下がっておらず、室内空気の冷却を継続して行う必要があると判断できる。そこで、制御システム（90）は、空調ユニット（22a）において冷房運転を継続する。
【０１３４】
一方、ステップST１５において“Ｔr−Ｔs≦−α”である場合、室内空気の温度が充分に下がっており、室内空気を冷却し続ける必要はないと判断できる。そこで、制御システム（90）は、ステップST１６へ移行し、空調ユニット（22a）における冷房運転を休止する。
【０１３５】
その後、制御システム（90）はステップST１３へ戻り、空調ユニット（22a）では、ステップST１３〜ステップST１６が繰り返し実行される。
【０１３６】
（暖房加湿運転モード）
次に、空調システム（10）において暖房加湿運転モードが選択された場合の制御システム（90）の動作について図５のフロー図を参照しながら説明する。
【０１３７】
ステップST２１〜ステップST２３が実行される。なお、ステップST２１〜ステップST２３では、空調側コントローラ（91a）が空調ユニット（22a）の運転モードを暖房運転に設定すると共に、調湿側コントローラ（92a）が調湿ユニット（52a）の運転モードを暖房運転に設定する点以外は、冷房除湿運転モードのステップST１〜ステップST３と同様であるため説明を省略する。
【０１３８】
ステップST２３が終了すると、ステップST２４とステップST２５とが並行して実行される。
【０１３９】
ステップST２４において、空調側コントローラ（91a）は、空調ユニット（22a）において暖房運転を開始する。一方、ステップST２５において、調湿側コントローラ（92a）は、調湿ユニット（52a）において暖房運転を開始する。
【０１４０】
このようにして、室内（1a）では、空調ユニット（22a）において暖房運転が実行されると共に、調湿ユニット（52a）においても暖房運転が実行される。そのため、室内（1a）には、空調ユニット（22a）及び調湿ユニット（52a）において加熱された空気が供給されるため、室内（1a）の空気は急速に加熱されていく。
【０１４１】
そして、ステップST２６において、空調側コントローラ（91a）が室内温度センサ（55a）の計測値Ｔrを読み込み、“Ｔr−Ｔs”と、所定の基準値“α”とを比較する。なお、“α”の値は、例えば「１℃」に設定される。
【０１４２】
ステップST２６において“Ｔr−Ｔs＜α”である場合、室内空気の温度が充分に上がっておらず、室内空気の加熱を継続して行う必要があると判断できる。そこで、制御システム（90）は、空調ユニット（22a）において暖房運転を継続する。
【０１４３】
一方、ステップST２６において“Ｔr−Ｔs≧α”である場合、室内空気の温度が充分に上がっており、室内空気を加熱し続ける必要はないと判断できる。そこで、制御システム（90）は、ステップST２７へ移行し、空調ユニット（22a）における暖房運転を休止する。具体的には、空調側コントローラ（91a）によって室内膨張弁（37a）を閉じて室内熱交換器（36a）への冷媒の流通を停止すると共に、室内ファン（24a）を停止する。そして、空調側コントローラ（91a）から調湿側コントローラ（92a）に、空調ユニット（22a）の暖房運転休止の情報を信号化して送信する。
【０１４４】
ステップST２７が終了すると、調湿ユニット（52a）においてステップST２８が実行されると共に、空調ユニット（22a）においてステップST３３が実行される。
【０１４５】
ステップST２８において、調湿側コントローラ（92a）は、空調側コントローラ（91a）から空調ユニット（22a）の暖房運転休止の情報を受信し、調湿ユニット（52a）において暖房運転を終了して加湿運転を開始する。
【０１４６】
次に、調湿側コントローラ（92a）は、ステップST２９において、室内湿度センサ（56a）の計測値Ｈrを読み込み、“Ｈr−Ｈs”と、所定の基準値“β”とを比較する。なお、“β”の値は、例えば「３％」に設定される。
【０１４７】
ステップST２９において“Ｈr−Ｈs＜β”である場合、室内空気の相対湿度が充分に上がっておらず、室内（1a）へ供給される室外空気の加湿を継続して行う必要があると判断できる。そこで、制御システム（90）は、調湿ユニット（52a）において加湿運転を継続する。
【０１４８】
一方、ステップST２９において“Ｈr−Ｈs≧β”である場合は、室内空気の相対湿度が充分に上がっており、室内（1a）へ供給される室外空気を加湿し続ける必要はないと判断できる。そこで、制御システム（90）は、ステップST３０へ移行し、調湿ユニット（52a）における加湿運転を休止する。具体的には、調湿側コントローラ（92a）が、調湿用膨張弁（84a）を閉じて第１吸着熱交換器（81a）及び第２吸着熱交換器（82a）への冷媒の流通を停止すると共に、給気ファン（53a）及び排気ファン（54a）の運転を停止する。
【０１４９】
なお、このとき、調湿側コントローラ（92a）は、給気ファン（53a）及び排気ファン（54a）の運転を停止させずに室内（1a）の換気を継続させることとしてもよい。また、空調ユニット（22a）において暖房運転が停止されている場合には、圧縮機（41）を停止させて調湿ユニット（52a）における加湿運転を休止することとしてもよい。
【０１５０】
ステップST３１において、調湿側コントローラ（92a）が室内湿度センサ（56a）の計測値Ｈrを読み込み、“Ｈr−Ｈs”と、所定の基準値“−β”とを比較する。
【０１５１】
ステップST３１において“Ｈr−Ｈs＞−β”である場合、室内空気の相対湿度が充分に上がっており、室内（1a）へ供給される室外空気の加湿を行う必要がないと判断できる。そこで、制御システム（90）は、調湿ユニット（52a）において加湿運転の休止状態を継続する。
【０１５２】
一方、ステップST３１において“Ｈr−Ｈs≦−β”である場合、室内空気の相対湿度が目標室内湿度Ｈsを下回り、室内（1a）へ供給される室外空気を加湿する必要があると判断できる。そこで、制御システム（90）は、ステップST３２へ移行し、調湿ユニット（52a）において加湿運転を再開する。
【０１５３】
その後、制御システム（90）はステップST２９へ戻り、ステップST２９〜ステップST３２が繰り返し実行される。
【０１５４】
一方、ステップST３３では、空調側コントローラ（91a）が室内温度センサ（55a）の計測値Ｔrを読み込み、“Ｔr−Ｔs”と、所定の基準値“−α”とを比較する。
【０１５５】
ステップST３３において“Ｔr−Ｔs＞−α”である場合、室内空気の温度が充分に上がっており、室内空気の加熱を行う必要がないと判断できる。そこで、制御システム（90）は、空調ユニット（22a）において暖房運転の休止状態を継続する。
【０１５６】
一方、ステップST３３において“Ｔr−Ｔs≦−α”である場合は、室内空気の温度が目標室内温度Ｔsを下回り、室内空気を加熱する必要があると判断できる。そこで、制御システム（90）は、ステップST３４へ移行し、空調ユニット（22a）における暖房運転を再開し、ステップST３５へ移行する。
【０１５７】
ステップST３５では、空調側コントローラ（91a）が室内温度センサ（55a）の計測値Ｔrを読み込み、“Ｔr−Ｔs”と、所定の基準値“α”とを比較する。
【０１５８】
ステップST３５において“Ｔr−Ｔs＜α”である場合、室内空気の温度が充分に上がっておらず、室内空気の加熱を継続して行う必要があると判断できる。そこで、制御システム（90）は、空調ユニット（22a）において暖房運転を継続する。
【０１５９】
一方、ステップST３５において“Ｔr−Ｔs≧α”である場合、室内空気の温度が充分に上がっており、室内空気を加熱し続ける必要はないと判断できる。そこで、制御システム（90）は、ステップST３６へ移行し、空調ユニット（22a）における暖房運転を休止する。
【０１６０】
その後、制御システム（90）はステップST３３へ戻り、空調ユニット（22a）では、ステップST３３〜ステップST３６が繰り返し実行される。
【０１６１】
（冷房加湿運転モード）
次に、空調システム（10）において冷房加湿運転モードが選択された場合の制御システム（90）の動作について図６のフロー図を参照しながら説明する。
【０１６２】
ステップST４１〜ステップST４７が実行される。なお、ステップST４１〜ステップST４７は、冷房除湿運転モードのステップST１〜ステップST７と同様であるため説明を省略する。
【０１６３】
ステップST４７が終了すると、調湿ユニット（52a）においてステップST４８が実行されると共に、空調ユニット（22a）においてステップST５３が実行される。
【０１６４】
ステップST４８において、調湿側コントローラ（92a）は、空調側コントローラ（91a）から空調ユニット（22a）の冷房運転休止の情報を受信し、調湿ユニット（52a）において冷房運転を終了して加湿運転を開始する。
【０１６５】
次に、制御システム（90）は、ステップST４９へ移行し、ステップST４９〜ステップST５２を実行する。なお、ステップST４９〜ステップST５２は、暖房加湿運転モードのステップST２９〜ステップST３２と同様であるため説明を省略する。
【０１６６】
一方、空調ユニット（22a）では、ステップST５３〜ステップST５６が実行される。なお、ステップST５３〜ステップST５６は、冷房除湿運転モードのステップST１３〜ステップST１６と同様であるため説明を省略する。
【０１６７】
（暖房除湿運転モード）
次に、空調システム（10）において冷房加湿運転モードが選択された場合の制御システム（90）の動作について図７のフロー図を参照しながら説明する。
【０１６８】
ステップST６１〜ステップST６７が実行される。なお、ステップST６１〜ステップST６７は、暖房加湿運転モードのステップST２１〜ステップST２７と同様であるため説明を省略する。
【０１６９】
ステップST６７が終了すると、調湿ユニット（52a）においてステップST６８が実行されると共に、空調ユニット（22a）においてステップST７３が実行される。
【０１７０】
ステップST６８において、調湿側コントローラ（92a）は、空調側コントローラ（91a）から空調ユニット（22a）の暖房運転休止の情報を受信し、調湿ユニット（52a）において暖房運転を終了して除湿運転を開始する。
【０１７１】
次に、制御システム（90）は、ステップST６９へ移行し、ステップST６９〜ステップST７２を実行する。なお、ステップST６９〜ステップST７２は、冷房除湿運転モードのステップST９〜ステップST１２と同様であるため説明を省略する。
【０１７２】
一方、空調ユニット（22a）では、ステップST７３〜ステップST７６が実行される。なお、ステップST７３〜ステップST７６は、暖房加湿運転モードのステップST３３〜ステップST３６と同様であるため説明を省略する。
【０１７３】
−実施形態１の効果−
本実施形態の空調システム（10）は、空調システム（10）の起動後所定の間、温度調節装置としての空調機（20a,20b）において冷房運転が実行されるときには、湿度調節装置としての外気処理機（50a,50b）において冷房運転（第１温調運転）を実行する一方、空調機（20a,20b）において暖房運転が実行されるときには、外気処理機（50a,50b）において暖房運転（第２温調運転）を実行する制御システム（90）を備えている。
【０１７４】
そして、本空調システム（10）では、起動後所定の間、空調機（20a,20b）において冷房運転が実行される場合には、外気処理機（50a,50b）において、吸着素子としての第１吸着熱交換器（81a,81b）又は第２吸着熱交換器（82a,82b）の吸着剤に空気中の水分が吸着されて生じた吸着熱を処理するための冷熱を供給する冷却手段（調湿用冷媒回路（60a,60b）の蒸発器）を用いて空気を冷却して室内（1a,1b）に供給する冷房運転（第１温調運転）を実行する。一方、本空調システム（10）では、起動後所定の間、空調機（20a,20b）において暖房運転が実行される場合には、外気処理機（50a,50b）において、第１吸着熱交換器（81a,81b）又は第２吸着熱交換器（82a,82b）の吸着剤に吸着された水分を脱離させるための温熱を供給する加熱手段（調湿用冷媒回路（60a,60b）の凝縮器）を用いて空気を加熱して室内（1a,1b）に供給する暖房運転（第２温調運転）を実行することとした。
【０１７５】
つまり、本空調システム（10）では、起動後所定の間、外気処理機（50a,50b）の冷却手段及び加熱手段を用いて潜熱処理を行うのではなく、顕熱処理を優先させることとした。
【０１７６】
なお、在室者にとって、室内（1a,1b）の空気の湿度が変化するよりも温度が変化する方が体感し易いという傾向がある。
【０１７７】
そこで、上述のように、空調システム（10）の起動後所定の間、空調機（20a,20b）だけでなく外気処理機（50a,50b）においても顕熱処理を行うことにより、室内温度が目標温度に達するまでの時間を短縮することができる。そのため、在室者が快適感を得るまでの時間を短縮することができる。従って、在室者の快適性を早急に向上させることができる。
【０１７８】
また、本空調システム（10）では、制御システム（90）は、冷房運転（第１温調運転）実行時に、外気処理機（50a,50b）の空気通路が第１の流通状態に切り換えられ、暖房運転（第２温調運転）実行時に、空気通路が第２の流通状態に切り換えられるように構成されている。つまり、冷房運転（第１温調運転）実行時には、室外空気が調湿用冷媒回路（60a,60b）の蒸発器を経由して室内（1a,1b）に取り込まれ、室内（1a,1b）の空気が調湿用冷媒回路（60a,60b）の凝縮器を経由して室外へ排出される。一方、暖房運転（第２温調運転）実行時には、室外空気が調湿用冷媒回路（60a,60b）の凝縮器を経由して室内（1a,1b）に取り込まれ、室内（1aq,1b）の空気が調湿用冷媒回路（60a,60b）の蒸発器を経由して室外へ排出される。
【０１７９】
従って、本空調システム（10）によれば、外気処理機（50a,50b）において冷房運転（第１温調運転）が実行される際に、室内空気の冷熱を調湿用冷媒回路（60a,60b）の凝縮器において回収するように外気処理機（50a,50b）の空気通路を切り換えることにより、急速に冷却させた室内空気の冷熱を回収して圧縮機（41）の入力を低減することができる。よって、冷凍サイクルの効率を向上させることができる。また同様に、暖房運転（第２温調運転）の実行時に、室内空気の温熱を調湿用冷媒回路（60a,60b）の蒸発器において回収するように外気処理機（50a,50b）の空気通路を切り換えることにより、急速に加熱した室内空気の温熱を回収して圧縮機（41）の入力を低減することができる。よって、冷凍サイクルの効率を向上させることができる。
【０１８０】
また、本空調システム（10）では、制御システム（90）を、外気処理機（50a,50b）の調湿用冷媒回路（60a,60b）及び空気通路を第１の冷熱供給状態と第２の冷熱供給状態とに所定間隔で交互に切り換えることによって除湿運転を実行する一方、第１の冷熱供給状態及び第２の冷熱供給状態のうちの一方の状態に保持することによって冷房運転（第１温調運転）を実行するように構成することとした。従って、本空調システム（10）によれば、外気処理機（50a,50b）の調湿用冷媒回路（60a,60b）及び空気通路を切り換えずに第１の冷熱供給状態又は第２の冷熱供給状態の一方に保持することによって容易に冷房運転（第１温調運転）を実行することができる。
【０１８１】
また、本空調システム（10）では、制御システム（90）を、外気処理機（50a,50b）の調湿用冷媒回路（60a,60b）及び空気通路を第１の温熱供給状態と第２の温熱供給状態とに所定間隔で交互に切り換えることによって加湿運転を実行する一方、第１の温熱供給状態及び第２の温熱供給状態のうちの一方の状態に保持することによって暖房運転（第２温調運転）を実行するように構成することとした。従って、本空調システム（10）によれば、外気処理機（50a,50b）の調湿用冷媒回路（60a,60b）及び空気通路を切り換えずに第１の温熱供給状態又は第２の温熱供給状態の一方に保持することによって容易に暖房運転（第２温調運転）を実行することができる。
【０１８２】
また、本空調システム（10）では、制御システム（90）を、外気処理機（50a,50b）において冷房運転（第１温調運転）が終了すると、外気処理機（50a,50b）の調湿用冷媒回路（60a,60b）及び空気通路を第１の冷熱供給状態と第２の冷熱供給状態とに所定間隔で交互に切り換えて除湿された空気を室内（1a,1b）に供給する除湿運転を実行する冷房除湿運転モードを実行可能に構成している。そのため、除湿運転の際には、冷房運転（第１温調運転）において十分に冷却された室内（1a,1b）の空気が調湿用冷媒回路（60a,60b）の凝縮器を経由して室外へ排出されることとなる。よって、冷房運転（第１温調運転）を行わずに除湿運転を実行する場合に比べて低い温度の空気が調湿用冷媒回路（60a,60b）の凝縮器に供給されることとなり、該凝縮器における熱交換量が増大する。従って、本空調システム（10）によれば、外気処理機（50a,50b）において除湿運転を開始する前に冷房運転（第１温調運転）を実行して冷房除湿運転モードを実行することにより、除湿運転の開始直後から調湿用冷媒回路（60a,60b）の冷凍サイクルの高圧圧力（即ち、冷媒の凝縮圧力）を低く設定することができ、該冷凍サイクルの高圧と低圧の差を縮小することができる。その結果、圧縮機（41）の入力（消費電力）を削減でき、空調システム（10）の運転効率を向上させることができる。
【０１８３】
また、本空調システム（10）では、制御システム（90）を、外気処理機（50a,50b）において暖房運転（第２温調運転）が終了すると、外気処理機（50a,50b）の調湿用冷媒回路（60a,60b）及び空気通路を第１の温熱供給状態と第２の温熱供給状態とに所定間隔で交互に切り換えて加湿された空気を室内（1a,1b）に供給する加湿運転を実行する暖房加湿運転モードを実行可能に構成している。そのため、加湿運転の際には、暖房運転（第２温調運転）において十分に加熱された室内（1a,1b）の空気が調湿用冷媒回路（60a,60b）の蒸発器を経由して室外へ排出されることとなる。よって、暖房運転（第２温調運転）を行わずに加湿運転を実行する場合に比べて高い温度の空気が調湿用冷媒回路（60a,60b）の蒸発器に供給されることとなり、該蒸発器における熱交換量が増大する。従って、本空調システム（10）によれば、外気処理機（50a,50b）において加湿運転を開始する前に暖房運転（第２温調運転）を実行して暖房加湿運転モードを実行することにより、加湿運転の開始直後から調湿用冷媒回路（60a,60b）の冷凍サイクルの低圧圧力（即ち、冷媒の蒸発圧力）を高く設定することができ、該冷凍サイクルの高圧と低圧の差を縮小することができる。その結果、圧縮機（41）の入力（消費電力）を削減でき、空調システム（10）の運転効率を向上させることができる。
【０１８４】
また、本空調システム（10）では、外気処理機（50a,50b）において冷房運転（第１温調運転）が終了すると、外気処理機（50a,50b）の調湿用冷媒回路（60a,60b）及び空気通路を第１の温熱供給状態と第２の温熱供給状態とに所定間隔で交互に切り換えて加湿された空気を室内（1a,1b）に供給する加湿運転を実行する冷房加湿運転モードを実行可能に構成している。そのため、加湿運転の際には、冷房運転（第１温調運転）において十分に冷却された室内（1a,1b）の空気が調湿用冷媒回路（60a,60b）の蒸発器を経由して室外へ排出されることとなる。よって、冷房運転（第１温調運転）を行わずに加湿運転を実行する場合に比べて低い温度の空気が調湿用冷媒回路（60a,60b）の蒸発器に供給される。
【０１８５】
なお、室内（1a,1b）の温度が高いと、調湿用冷媒回路（60a,60b）における蒸発温度及び凝縮温度が高くなり、凝縮器を経由して室内（1a,1b）に取り込まれる空気の温度が高くなってしまう。そのため、空調機（20a,20b）による冷房運転を阻害してしまう。
【０１８６】
しかしながら、本空調システム（10）では、外気処理機（50a,50b）において加湿運転を開始する前に冷房運転（第１温調運転）を実行して冷房加湿運転モードを実行することにより、調湿用冷媒回路（60a,60b）における蒸発温度及び凝縮温度の上昇を抑制し、調湿用冷媒回路（60a,60b）の凝縮器を経由して室内（1a,1b）に取り込まれる空気の温度上昇を抑制することができる。よって、空調機（20a,20b）による冷房運転を阻害せずに加湿運転を実行することができるため、空調システム（10）の運転効率を向上させることができる。
【０１８７】
《発明の実施形態２》
本発明の実施形態２について図８を用いて説明する。本実施形態は、実施形態１の空調システム（10）において、空調機（20a,20b）と外気処理機（50a,50b）とで共有していた熱源ユニットをそれぞれ別個に設けている。以下、実施形態１の空調システム（10）と異なる部分についてのみ説明する。
【０１８８】
具体的には、外気処理機（50a,50b）は、調湿用の熱源ユニット（51）と、二台の調湿ユニット（52a,52b）とを備えている。外気処理機（50a,50b）では、熱源ユニット（51）と各調湿ユニット（52a,52b）とをそれぞれ配管で接続することによって調湿用冷媒回路（60a,60b）が形成されている。一方、実施形態１において、二台の調湿ユニット（52a,52b）と配管を介して接続されていた熱源ユニット（21）は各調湿ユニット（52a,52b）と接続されず、空調用の熱源ユニット（21）として用いられる。
【０１８９】
調湿用の熱源ユニット（51）には、熱源側回路（70）が収容されている。熱源側回路（70）には、圧縮機（71）と、アキュームレータ（72）と、高圧側閉鎖弁（73）と、低圧側閉鎖弁（74）とが設けられている。熱源側回路（70）において、圧縮機（71）は、その吐出側が高圧側閉鎖弁（73）に接続され、この吸入側がアキュームレータ（72）を介して低圧側閉鎖弁（74）に接続されている。そして、高圧ガス連絡配管（61）は、熱源側回路（70）の高圧側閉鎖弁（73）に接続される一方、低圧ガス連絡配管（62）は、熱源側回路（70）の低圧側閉鎖弁（74）に接続されている。
【０１９０】
圧縮機（71）は、いわゆる全密閉型の圧縮機である。圧縮機（71）の電動機には、図外のインバータを介して電力が供給される。インバータから電動機へ供給される交流の周波数（即ち、圧縮機（71）の運転周波数）を変化させると、電動機の回転速度が変化し、その結果、圧縮機（71）の運転容量が変化する。
【０１９１】
以上のような空調システム（10）によっても、実施形態１と同様の効果を奏することができる。なお、実施形態２では、空調機（20a,20b）の運転休止を圧縮機（41）の停止によって行うこととしてもよい。また同様に、外気処理機（50a,50b）の運転休止を圧縮機（71）の停止によって行うこととしてもよい。
【０１９２】
《発明の実施形態３》
本発明の実施形態３について図９を用いて説明する。本実施形態では、実施形態１の空調システム（10）において、空調機（20a,20b）と外気処理機（50a,50b）とで共有していた熱源ユニット（21）を空調用として用いる一方、各調湿ユニット（52a,52b）に圧縮機（71a,71b）を一台ずつ搭載している。
【０１９３】
具体的には、本空調システム（10）では、外気処理機（50a,50b）が二台の調湿ユニット（52a,52b）だけによって構成される。各調湿ユニット（52b）の調湿用回路（80a,80b）において、圧縮機（71a,71b）は、その吐出側が四方切換弁（83a,83b）の第１のポートに接続され、その吸入側がアキュームレータ（72a,72b）を介して四方切換弁（83a,83b）の第２のポートに接続される。
【０１９４】
以上のような空調システム（10）によっても、実施形態１と同様の効果を奏することができる。なお、実施形態３では、空調機（20a,20b）の運転休止を圧縮機（41）の停止によって行うこととしてもよい。また同様に、外気処理機（50a,50b）の運転休止を圧縮機（71a,71b）の停止によって行うこととしてもよい。
【０１９５】
《発明の実施形態４》
本発明の実施形態４について図１０、図１１を用いて説明する。本実施形態では、上記各実施形態において吸着熱交換器によって一体に形成されていた本発明に係る吸着素子と冷却手段及び加熱手段とが別個に形成されている。
【０１９６】
〈外気処理機の構成〉
具体的には、図１０に示すように、各調湿ユニット（52a,52b）には、調湿用回路（80a,80b）が一つずつ収容されている。各調湿用回路（80a,80b）には、凝縮器（111a,111b）と、蒸発器（112a,112b）と、調湿用膨張弁（84a,84b）とが一つずつ設けられている。また、各調湿ユニット（52a,52b）には、第１吸着素子（121a,121b）と、第２吸着素子（122a,122b）とが一つずつ設けられている。
【０１９７】
凝縮器（111a,111b）と蒸発器（112a,112b）は、何れもフィン・アンド・チューブ型の熱交換器によって構成されている。また、第１吸着素子（121a,121b）と第２吸着素子（122a,122b）は、多数の貫通孔によって多数の空気通路が形成された部材によって構成され、その表面にはゼオライト等の吸着剤が担持されている。これら吸着素子（121a,121b,122a,122b）では、その表面に担持された吸着剤が多数の空気通路を通過する空気と接触することによって、吸着剤に空気中の水分が吸着されて空気を除湿し、又は吸着剤に吸着された水分が空気中に脱離して空気を加湿する。
【０１９８】
また、本実施形態においても、各調湿ユニット（52a,52b）には、空気通路が形成され、図外のダンパを開閉することによって、空気の流通経路が切り換え可能となっている。
【０１９９】
具体的に、各調湿ユニット（52a,52b）では、空気の流通経路が、第１冷熱供給状態（図１０(Ａ)参照）と、第２冷熱供給状態（図１０（Ｂ）参照）と、第１温熱供給状態（図１１（Ａ）参照）と、第２温熱供給状態（図１１（Ｂ）参照）とに切換可能となっている。
【０２００】
第１冷熱供給状態では、室外からの空気が第１吸着素子（121a,121b）を経由して蒸発器（112a,112b）を通過した後に室内（1a,1b）へ供給される一方、室内（1a,1b）からの空気が凝縮器（111a,111b）を通過した後に第２吸着素子（122a,122b）を経由して室外へ排気される。
【０２０１】
第２冷熱供給状態では、室外からの空気が第２吸着素子（122a,122b）を経由して蒸発器（112a,112b）を通過した後に室内（1a,1b）へ供給される一方、室内（1a,1b）からの空気が凝縮器（111a,111b）を通過した後に第１吸着素子（121a,121b）を経由して室外へ排気される。
【０２０２】
第１温熱供給状態では、室外からの空気が凝縮器（111a,111b）を通過した後に第１吸着素子（121a,121b）を経由して室内（1a,1b）へ供給される一方、室内（1a,1b）からの空気が第２吸着素子（122a,122b）を経由して蒸発器（112a,112b）を通過した後に室外に排気される。
【０２０３】
第２温熱供給状態では、室外からの空気が凝縮器（111a,111b）を通過した後に第２吸着素子（122a,122b）を経由して室内（1a,1b）へ供給される一方、室内（1a,1b）からの空気が第１吸着素子（121a,121b）を経由して蒸発器（112a,112b）を通過した後に室外に排気される。
【０２０４】
〈外気処理機の運転動作〉
本実施形態においても、外気処理機（50a,50b）では、除湿運転と加湿運転とが実行可能となっている。除湿運転中と加湿運転中の何れにおいても、外気処理機（50a,50b）の調湿用冷媒回路（60）では、冷媒を循環させることによって蒸気圧縮冷凍サイクルが行われる。
【０２０５】
（除湿運転）
外気処理機（50a,50b）の除湿運転について、図１０を参照しながら説明する。除湿運転中、各調湿ユニット（52a,52b）では、各調湿側コントローラ（92a,92b）によって、空気通路が第１冷熱供給状態（図１０（Ａ）参照）と第２冷熱供給状態（図１０（Ｂ）参照）とに交互に所定の時間毎（例えば３分間毎）に切り換えられる。なお、各調湿ユニット（52a,52b）における第１冷熱供給状態と第２冷熱供給状態の相互切り換えのタイミングは、互いに同期している必要はない。
【０２０６】
具体的には、図１０(Ａ)に示すように、第１冷熱供給状態の調湿ユニット（52a,52b）では、室外空気が第１吸着素子（121a,121b）を経由して蒸発器（112a,112b）へ送られる。そして、室外からの空気中の水分は、第１吸着素子（121a,121b）を通過する際に、該第１吸着素子（121a,121b）の吸着剤に吸着される。また、その際に生じた吸着熱は第１吸着素子（121a,121b）を通過する空気と共に蒸発器（112a,112b）に供給され、該蒸発器（112a,112b）を流れる低温の冷媒に吸熱される。このようにして、室外空気は除湿されて室内（1a,1b）に供給される。
【０２０７】
一方、室内空気は、凝縮器（111a,111b）へ送られた後に第２吸着素子（122a,122b）へ送られる。室内（1a,1b）からの空気は、凝縮器（111a,111b）を通過する際に、該凝縮器（111a,111b）を流れる高温の冷媒によって加熱され、第２吸着素子（122a,122b）へ送られる。これにより、第２吸着素子（122a,122b）の吸着剤が加熱されて該吸着剤に吸着された水分が脱離し、第２吸着素子（122a,122b）を通過する空気中に付与される。このようにして、室内空気は加湿されて室外へ排出される。
【０２０８】
また、図１０(Ｂ)に示すように、第２冷熱供給状態の調湿ユニット（52a,52b）では、室外空気が第２吸着素子（122a,122b）を経由して蒸発器（112a,112b）へ送られる。そして、室外からの空気中の水分は、第２吸着素子（122a,122b）を通過する際に、該第２吸着素子（122a,122b）の吸着剤に吸着される。また、その際に生じた吸着熱は第２吸着素子（122a,122b）を通過する空気と共に蒸発器（112a,112b）に供給され、該蒸発器（112a,112b）を流れる低温の冷媒に吸熱される。このようにして、室外空気は除湿されて室内（1a,1b）に供給される。
【０２０９】
一方、室内空気は、凝縮器（111a,111b）へ送られた後に第１吸着素子（121a,121b）へ送られる。室内（1a,1b）からの空気は、凝縮器（111a,111b）を通過する際に、該凝縮器（111a,111b）を流れる高温の冷媒によって加熱され、第１吸着素子（121a,121b）へ送られる。これにより、第１吸着素子（121a,121b）の吸着剤が加熱されて該吸着剤に吸着された水分が脱離し、第１吸着素子（121a,121b）を通過する空気中に付与される。このようにして、室内空気は加湿されて室外へ排出される。
【０２１０】
このように、除湿運転では、空気通路を第１冷熱供給状態と第２冷熱供給状態とに交互に所定の時間毎（例えば３分間毎）に切り換えることにより、第１吸着素子（121a,121b）及び第２吸着素子（122a,122b）において、吸着剤に空気中の水分が吸着される状態と、吸着剤が加熱されて該吸着剤に吸着された水分が脱離される状態とが交互に所定の時間毎に切り換えられる。よって、第１吸着素子（121a,121b）及び第２吸着素子（122a,122b）の吸着剤に許容量以上の水分が吸着されることなく、室外空気の除湿を連続して行うことができる。
【０２１１】
（加湿運転）
外気処理機（50a,50b）の加湿運転について、図１１を参照しながら説明する。加湿運転中、各調湿ユニット（52a,52b）では、各調湿側コントローラ（92a,92b）によって、空気通路が第１温熱供給状態（図１１（Ａ）参照）と第２温熱供給状態（図１１（Ｂ）参照）とに交互に所定の時間毎（例えば３分間毎）に切り換えられる。なお、各調湿ユニット（52a,52b）における第１温熱供給状態と第２温熱供給状態の相互切り換えのタイミングは、互いに同期している必要はない。
【０２１２】
具体的には、図１１(Ａ)に示すように、第１温熱供給状態の調湿ユニット（52a,52b）では、室外空気が凝縮器（111a,111b）へ送られた後に第１吸着素子（121a,121b）へ送られる。室外からの空気は、凝縮器（111a,111b）を通過する際に、該凝縮器（111a,111b）を流れる高温の冷媒によって加熱され、第１吸着素子（121a,121b）へ送られる。これにより、第１吸着素子（121a,121b）の吸着剤が加熱されて該吸着剤に吸着された水分が脱離し、第１吸着素子（121a,121b）を通過する空気中に付与される。このようにして、室外空気は加湿されて室内（1a,1b）に供給される。
【０２１３】
一方、室内空気は、第２吸着素子（122a,122b）を経由して蒸発器（112a,112b）へ送られる。そして、室内（1a,1b）からの空気中の水分は、第２吸着素子（122a,122b）を通過する際に、該第２吸着素子（122a,122b）の吸着剤に吸着される。また、その際に生じた吸着熱は第２吸着素子（122a,122b）を通過する空気と共に蒸発器（112a,112b）に供給され、該蒸発器（112a,112b）を流れる低温の冷媒に吸熱される。このようにして、室内空気は除湿されて室外に排出される。
【０２１４】
また、図１１(Ｂ)に示すように、第２温熱供給状態の調湿ユニット（52a,52b）では、室外空気が凝縮器（111a,111b）へ送られた後に第２吸着素子（122a,122b）へ送られる。室外からの空気は、凝縮器（111a,111b）を通過する際に、該凝縮器（111a,111b）を流れる高温の冷媒によって加熱され、第２吸着素子（122a,122b）へ送られる。これにより、第２吸着素子（122a,122b）の吸着剤が加熱されて該吸着剤に吸着された水分が脱離し、第２吸着素子（122a,122b）を通過する空気中に付与される。このようにして、室外空気は加湿されて室内（1a,1b）に供給される。
【０２１５】
一方、室内空気は、第１吸着素子（121a,121b）を経由して蒸発器（112a,112b）へ送られる。そして、室内（1a,1b）からの空気中の水分は、第１吸着素子（121a,121b）を通過する際に、該第１吸着素子（121a,121b）の吸着剤に吸着される。また、その際に生じた吸着熱は第１吸着素子（121a,121b）を通過する空気と共に蒸発器（112a,112b）に供給され、該蒸発器（112a,112b）を流れる低温の冷媒に吸熱される。このようにして、室内空気は除湿されて室外に排出される。
【０２１６】
このように、加湿運転では、空気通路を第１温熱供給状態と第２温熱供給状態とに交互に所定の時間毎（例えば３分間毎）に切り換えることにより、第１吸着素子（121a,121b）及び第２吸着素子（122a,122b）において、吸着剤に空気中の水分が吸着される状態と、吸着剤が加熱されて該吸着剤に吸着された水分が脱離される状態とが交互に所定の時間毎に切り換えられる。よって、第１吸着素子（121a,121b）及び第２吸着素子（122a,122b）の吸着剤に許容量以上の水分が吸着されることなく、室外空気の加湿を連続して行うことができる。
【０２１７】
（冷房運転（第１温調運転））
外気処理機（50a,50b）の冷房運転（第１温調運転）について説明する。本実施形態では、冷房運転（第１温調運転）は、空調システム（10）において、冷房除湿運転又は冷房加湿運転を実行する場合に、空調システム（10）の起動後所定期間実行される。冷房運転の際には、各調湿ユニット（52a,52b）は、上記除湿運転における第１冷熱供給状態（図１０（Ａ）参照）又は第２冷熱供給状態（図１０（Ｂ）参照）に保持される。なお、各調湿ユニット（52a,52b）において上記状態は一致している必要はない。また、第１冷熱供給状態及び第２冷熱供給状態の空気の流れについては上記除湿運転時と同様であるため、説明を省略する。
【０２１８】
第１冷熱供給状態が継続されると、第１吸着素子（121a,121b）では、やがて吸着剤に限界量の水分が吸着されて飽和状態となり、それ以上水分が吸着されなくなる。そのため、第１吸着素子（121a,121b）では、吸着熱が発生しなくなる。これにより、蒸発器（112a,112b）に吸着熱が供給されなくなり、該蒸発器（112a,112b）は、室外からの空気から吸熱して該室外空気を冷却することとなる。そして、冷却された空気が室内（1a,1b）に供給される。
【０２１９】
また、第２冷熱供給状態が継続されると、第２吸着素子（122a,122b）では、やがて吸着剤に限界量の水分が吸着されて飽和状態となり、それ以上水分が吸着されなくなる。そのため、第２吸着素子（122a,122b）では、吸着熱が発生しなくなる。これにより、蒸発器（112a,112b）に吸着熱が供給されなくなり、該蒸発器（112a,112b）は、室外からの空気から吸熱して該室外空気を冷却することとなる。そして、冷却された空気が室内（1a,1b）に供給される。
【０２２０】
このように第１冷熱供給状態又は第２冷熱供給状態を継続すると、蒸発器（112a,112b）を流れる冷媒の冷熱が吸着熱の処理ではなく室外からの空気の冷却に用いられることとなる。そして、冷却後の空気が室内（1a,1b）に供給されることによって室内（1a,1b）の空気が冷却される。
【０２２１】
（暖房運転（第２温調運転））
外気処理機（50a,50b）の暖房運転（第２温調運転）について説明する。本実施形態では、暖房運転（第２温調運転）は、空調システム（10）において、暖房加湿運転又は暖房除湿運転を実行する場合に、空調システム（10）の起動後所定期間実行される。暖房運転の際には、各調湿ユニット（52a,52b）は、上記加湿運転における第１温熱供給状態（図１１（Ａ）参照）又は第２温熱供給状態（図１１（Ｂ）参照）に保持される。なお、各調湿ユニット（52a,52b）において上記状態は一致している必要はない。また、第１温熱供給状態及び第２温熱供給状態の空気の流れについては上記加湿運転時と同様であるため、説明を省略する。
【０２２２】
第１温熱供給状態が継続されると、第１吸着素子（121a,121b）では、やがて吸着剤から水分が全て脱離され、それ以上水分が脱離されなくなる。そのため、第１吸着素子（121a,121b）では、凝縮器（111a,111b）において加熱されて供給された空気に水分が付与されなくなる。これにより、凝縮器（111a,111b）において室外からの空気に付与された温熱は、吸着剤の水分の脱離に用いられなくなる。つまり、凝縮器（111a,111b）において室外からの空気に付与された温熱は、室外からの空気の温度上昇に用いられることとなる。そして、加熱された空気が室内（1a,1b）に供給される。
【０２２３】
また、第２温熱供給状態が継続されると、第２吸着素子（122a,122b）では、やがて吸着剤から水分が全て脱離され、それ以上水分が脱離されなくなる。そのため、第２吸着素子（122a,122b）では、凝縮器（111a,111b）において加熱されて供給された空気に水分が付与されなくなる。これにより、凝縮器（111a,111b）において室外からの空気に付与された温熱は、吸着剤の水分の脱離に用いられなくなる。つまり、凝縮器（111a,111b）において室外からの空気に付与された温熱は、室外からの空気の温度上昇に用いられることとなる。そして、加熱された空気が室内（1a,1b）に供給される。
【０２２４】
このように第１温熱供給状態又は第２温熱供給状態を継続すると、凝縮器（111a,111b）を流れる冷媒の温熱が吸着剤に吸着された水分の脱離ではなく室外空気の加熱に用いられることとなる。そして、加熱後の空気が室内（1a,1b）に供給されることによって室内（1a,1b）の空気が加熱される。
【０２２５】
以上のような空調システム（10）によっても、実施形態１と同様の効果を奏することができる。
【０２２６】
《その他の実施形態》
上記各実施形態の空調システム（10）では、各空調ユニット（22a,22b）と各調湿ユニット（52a,52b）とが異なる室内（1a,1b）へ空気を供給するように配置されているが、全ての空調ユニット（22a,22b）及び調湿ユニット（52a,52b）が同一の室内へ空気を供給するように配置されていてもよい。
【０２２７】
また、上記実施形態１乃至４の空調システム（10）において、調湿用冷媒回路（60a,60b）の代わりに、図１２に示すような吸着加熱冷却器（130）を用いてもよい。
【０２２８】
具体的には、加熱冷却器（130）は、印加する直流電源の極性をプラスとマイナスに切り換えることによって第１面と第２面とが放熱側と吸熱側とに切り換わるペルチェ効果素子（131）と、一対の吸着フィン（132a,132b）とを備えている。吸着フィン（132a,132b）は、所謂ヒートシンクの表面にゼオライト等の吸着剤を担持させたものである。なお、加熱冷却器（130）は、ペルチェ効果素子（131）の表面に吸着剤を直接担持させて構成してもよい。
【０２２９】
ペルチェ効果素子（131）は、第１面に第１吸着素子である第１吸着フィン（132a）が接合され、第２面に第２吸着素子である第２吸着フィン（132b）が接合されている。ペルチェ効果素子（131）に直流電流を流すと、２つの吸着フィン（132a,132b）の一方が吸熱側になって他方が放熱側になる。つまり、ペルチェ効果素子（131）の放熱側により本発明に係る加熱手段が構成され、ペルチェ効果素子（131）の吸熱側により本発明に係る冷却手段が構成される。
【０２３０】
このような吸着加熱冷却器（130）を用いた空調システム（10）においても、実施形態１と同様の運転動作（冷房除湿運転、暖房加湿運転、冷房加湿運転、暖房除湿運転）を行うことが可能であり、実施形態１と同様の効果を奏することができる。
【０２３１】
また、上記各実施形態の空調システム（10）において、調湿用冷媒回路（60a,60b）が、冷凍サイクルの高圧が冷媒の臨界圧力よりも高い値に設定される超臨界サイクルを行うこととしてもよい。その場合、第１吸着熱交換器（81a,82a）及び第２吸着熱交換器（81b,82b）は、その一方が放熱器として動作し、他方が吸熱器として動作する。
【０２３２】
また、上記実施形態１乃至３の空調システム（10）において、第１吸着熱交換器（81a,82a）及び第２吸着熱交換器（81b,82b）に対して冷水や温水を供給することで、吸着剤の加熱や冷却を行ってもよい。
【０２３３】
また、上記実施形態１乃至３の空調システム（10）において、第１吸着熱交換器（81a,82a）及び第２吸着熱交換器（81b,82b）の代わりに、吸着剤が担持された除加湿ロータを用いることとしてもよい。
【０２３４】
また、上記各実施形態では、空調機（20a,20b）において冷房運転又は暖房運転が休止されたときに、外気処理機（50a,50b）における顕熱優先運転（第１温調運転又は第２温調運転）を終了して潜熱運転（除湿運転又は加湿運転）を開始することとしていた。しかしながら、顕熱優先運転から潜熱運転への切換のタイミングは上記各実施形態のタイミングに限られない。例えば、室内空気温度Ｔrと目標室内温度Ｔsの差が所定値以下となったときでもよく、室内空気温度Ｔrが目標室内温度Ｔsを上回ったとき又は下回ったときでもよく、空調システム（10）の起動から所定時間が経過したときであってもよい。また、同一の室内に複数台の空調機が設置されている場合には、その中の一台の空調機において冷房運転又は暖房運転が休止されたときに外気処理機を顕熱優先運転から潜熱運転へ切り換えることとしてもよく、全ての空調機において冷房運転又は暖房運転が休止されたときに切り換えることとしてもよい。
【０２３５】
また、上記各実施形態で用いていた吸着剤としては、シリカゲルやゼオライト等の主に水蒸気の吸着を行う材料だけでなく、水蒸気の吸着と吸収の両方を行う材料（収着剤）を用いてもよい。
【０２３６】
具体的には、吸着剤として、吸湿性を有する有機高分子材料を用いることができる。吸着剤として用いられる有機高分子材料では、分子中に親水性の極性基を有する複数の高分子主鎖が互いに架橋されており、互いに架橋された複数の高分子主鎖が三次元構造体を形成している。
【０２３７】
このような有機高分子材料からなる吸着剤は、水蒸気を補足（即ち、吸湿）することによって膨潤する。この吸着剤が吸湿することによって膨潤するメカニズムは、以下のようなものと推測される。つまり、この吸着剤が吸湿する際には、親水性の極性基の周りに水蒸気が吸着され、親水性の極性基と水蒸気が反応することで生じた電気的な力が高分子主鎖に作用し、その結果、高分子主鎖が変形する。そして、変形した高分子主鎖同士の隙間へ水蒸気が毛細管力によって取り込まれ、水蒸気が入り込むことによって複数の高分子主鎖からなる三次元構造体が膨らみ、その結果、吸着剤の体積が増加する。
【０２３８】
このように、有機高分子材料からなる吸着剤では、水蒸気が吸着剤に吸着される現象と、水蒸気が吸着剤に吸収される現象の両方が起こる。つまり、この吸着剤には、水蒸気が収着される。また、この吸着剤に捕捉された水蒸気は、互いに架橋された複数の高分子主鎖からなる三次元構造体の表面だけでなく、その内部にまで入り込む。その結果、この吸着剤には、表面に水蒸気を吸着するだけのゼオライト等に比べ、多量の水蒸気が捕捉される。
【０２３９】
また、この吸着剤は、水蒸気を放出（即ち、放湿）することによって収縮する。つまり、この吸着剤が放湿する際には、高分子主鎖同士の隙間に捕捉された水の量が減少してゆき、複数の高分子主鎖で構成された三次元構造体の形状が元に戻ってゆくため、吸着剤の体積が減少する。
【０２４０】
なお、上記各実施形態の吸着剤として用いられる材料は、吸湿することによって膨潤して放湿することによって収縮するものであれば上述した材料に限定されず、例えば吸湿性を有するイオン交換樹脂であってもよい。
【０２４１】
なお、以上の実施形態は、本質的に好ましい例示であって、本発明、その適用物、あるいはその用途の範囲を制限することを意図するものではない。
【産業上の利用可能性】
【０２４２】
以上説明したように、本発明は、湿度調節装置と温度調節装置を備える空調システムについて有用である。
【符号の説明】
【０２４３】
１ａ、１ｂ      室内
１０            空調システム
２０ａ、２０ｂ  空調機（温度調節装置）
５０ａ、５０ｂ  外気処理機（湿度調節装置）
６０ａ、６０ｂ  調湿用冷媒回路（冷媒回路）
８１ａ、８１ｂ  第１吸着熱交換器（吸着素子、第１熱交換器）
８２ａ、８２ｂ  第２吸着熱交換器（吸着素子、第２熱交換器）
９０            制御システム（制御装置）
【図１】
2011017515.tif 000003
【図２】
2011017515.tif 000004
【図３】
2011017515.tif 000005
【図４】
2011017515.tif 000006
【図５】
2011017515.tif 000007
【図６】
2011017515.tif 000008
【図７】
2011017515.tif 000009
【図８】
2011017515.tif 000010
【図９】
2011017515.tif 000011
【図１０】
2011017515.tif 000012
【図１１】
2011017515.tif 000013
【図１２】
2011017515.tif 000014